(57)【要約】デュアルコネクティビティをサポートする通信ネットワークにおける方法は、ユーザ装置（ＵＥ）と、ＵＥにデュアルコネクティビティサービスを提供するセカンダリセルグループとの間の無線チャネルの測定のための測定設定情報要素（ＩＥ）を生成すること（５０２）と、無線リソース制御（ＲＲＣ）メッセージにおいて測定設定ＩＥをＵＥに送信すること（５０６）を含む。
2022501878.tif 000002
【特許請求の範囲】
【請求項１】
デュアルコネクティビティをサポートする通信ネットワークにおける方法であって、前記方法は、
ユーザ装置（ＵＥ）と、マスタノードと共に前記ＵＥにデュアルコネクティビティのサービスを提供するセカンダリセルグループに関連付けられたセカンダリノードとの間の無線チャネルの測定のための測定設定情報要素（ＩＥ）を生成すること（５０２）と、
前記測定設定ＩＥを、無線リソース制御（ＲＲＣ）メッセージにおいて前記ＵＥに送信すること（５０６）を含む、方法。
【請求項２】
請求項１に記載の方法であって、さらに、
測定設定フィールドに前記測定設定ＩＥをカプセル化（５０４）することであって、前記測定設定フィールドは、測定報告のために前記ＵＥによって使用される、定義されたシグナリング無線ベアラ（ＳＲＢ）に関連付けられることを含む、方法。
【請求項３】
請求項２に記載の方法であって、さらに、
前記ＲＲＣメッセージに応答して、前記定義されたＳＲＢで前記ＵＥから測定報告を受信すること（６０２）を含む、方法。
【請求項４】
請求項１から３のいずれか１項に記載の方法であって、前記ＲＲＣメッセージは、ＲＲＣＲｅｃｏｎｆｉｇｕｒａｔｉｏｎメッセージを含む、方法。
【請求項５】
請求項１から４のいずれか１項に記載の方法であって、前記測定設定フィールドは第１の測定設定フィールドを含み、前記ＲＲＣメッセージは、前記第１の測定設定ＩＥとは異なる測定設定ＩＥを含む第２の測定設定フィールドを含む、方法。
【請求項６】
請求項５に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項７】
請求項１から６のいずれか１項に記載の方法であって、前記測定設定ＩＥは、前記通信ネットワークにおける前記マスタノードによって生成され、前記測定設定ＩＥをカプセル化する前記測定設定フィールドは、前記通信ネットワークにおける前記セカンダリノードによって前記ＵＥに送信される、方法。
【請求項８】
請求項１から６のいずれか１項に記載の方法であって、前記セカンダリセルグループは、分散ユニットに関連付けられ、前記測定設定ＩＥは、セントラルユニットによって生成される、方法。
【請求項９】
請求項２に記載の方法であって、前記定義されたＳＲＢは、ＳＲＢ３を含む、方法。
【請求項１０】
請求項９に記載の方法であって、前記ＳＲＢ３は、前記ＵＥと前記セカンダリセルグループとの間のＳＲＢである、方法。
【請求項１１】
請求項１から１０のいずれか１項に記載の方法であって、前記ＲＲＣメッセージは、ＳＲＢ１ベアラを介して前記ＵＥに送信される、方法。
【請求項１２】
請求項１１に記載の方法であって、前記ＲＲＣメッセージは、前記ＳＲＢ１ベアラを介して前記ＵＥに送信される第２のＲＲＣメッセージに埋め込まれる第１のＲＲＣメッセージを含む、方法。
【請求項１３】
請求項１から１０のいずれか１項に記載の方法であって、前記ＲＲＣメッセージは、ＳＲＢ３ベアラを介して前記ＵＥに送信される、方法。
【請求項１４】
処理ユニットであって、
処理回路（２０３）と、
前記処理回路に結合されたネットワークインターフェース（２０７）と、
前記処理回路に結合されたメモリ（２０５）であって、前記処理回路によって実行されると、前記処理ユニットに請求項１から１３のいずれかに記載の動作を実行させる機械可読コンピュータプログラム命令を記憶するメモリを含む、処理ユニット。
【請求項１５】
ユーザ装置（ＵＥ）の動作方法であって、
測定設定フィールドを含む無線リソース制御（ＲＲＣ）メッセージを受信すること（７０２）と、
前記ＵＥと、マスタノードと共に前記ＵＥにデュアルコネクティビティのサービスを提供するセカンダリセルグループに関連付けられたセカンダリノードとの間の無線チャネルの測定のために、測定設定情報要素（ＩＥ）を抽出すること（７０４）、を含む、方法。
【請求項１６】
請求項１５に記載の方法であって、さらに、
前記ＲＲＣメッセージに応答して前記無線チャネルで測定を実行すること（７０６）と、
測定報告を前記マスタノードおよび/または前記セカンダリノードに送信すること（７０８）を含む、方法。
【請求項１７】
請求項１６に記載の方法であって、前記測定設定フィールドは、測定報告のために前記ＵＥによって使用される、定義されたシグナリング無線ベアラ（ＳＲＢ）に関連付けられ、
前記測定報告を送信することは、前記定義されたＳＲＢで前記測定報告を送信すること（７０８）を含む、方法。
【請求項１８】
請求項１７に記載の方法であって、前記定義されたＳＲＢは、ＳＲＢ３を含む、方法。
【請求項１９】
請求項１５に記載の方法であって、前記ＲＲＣメッセージは、ＲＲＣＲｅｃｏｎｆｉｇｕｒａｔｉｏｎメッセージを含む、方法。
【請求項２０】
請求項１５から１９のいずれか１項に記載の方法であって、前記測定設定フィールドは、第１の測定設定フィールドであり、前記ＲＲＣメッセージは、前記第１の測定設定ＩＥとは異なる測定設定ＩＥを有する第２の測定設定フィールドを含む、方法。
【請求項２１】
請求項２０に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項２２】
請求項１５から２１のいずれか１項に記載の方法であって、前記ＲＲＣメッセージは、ＳＲＢ１ベアラを介して前記セカンダリノードから受信される、方法。
【請求項２３】
請求項２２に記載の方法であって、前記ＲＲＣメッセージは、前記ＳＲＢ１ベアラを介して前記ＵＥに送信される第２のＲＲＣメッセージに埋め込まれる第１のＲＲＣメッセージを含む、方法。
【請求項２４】
請求項１５から２１のいずれか１項に記載の方法であって、前記ＲＲＣメッセージは、ＳＲＢ３ベアラを介してセカンダリセルグループから受信される、方法。
【請求項２５】
ユーザ装置（ＵＥ）であって、
処理回路（１０３）と、
前記処理回路に結合された無線トランシーバ（１０２）と、
前記処理回路に結合されたメモリ（１０５）であって、前記処理回路によって実行されると、前記ＵＥに請求項１５から２４のいずれか１項に記載の動作を実行させる機械可読コンピュータプログラム命令を記憶するメモリを含む、ＵＥ。
【発明の詳細な説明】
【技術分野】
【０００１】
関連出願
本出願は「MEASUREMENT CONFIGURATION AND REPORTING IN NR-DC」と題する、２０１８年９月２７日に出願された米国仮特許出願第６２/７３７．７７８号の利点および優先権を主張し、その開示全体が基準により本明細書に組み込まれる。
【背景技術】
【０００２】
本開示は、無線通信システムに関する。
【０００３】
３ＧＰＰでは、ＬＴＥおよびＬＴＥとＮＲとの間の両方について、デュアルコネクティビティ（ＤＣ）ソリューションが規定されている。ＤＣでは、マスタノード（ＭＮまたはＭｅＮＢ）およびセカンダリノード（ＳＮまたはＳｅＮＢ）の２つのノードが関与する。マルチコネクティビティ（ＭＣ）は、２つ以上のノードが関与する場合である。また、ＤＣは、ロバスト性を強化し、接続中断を避けるために、超高信頼・低遅延通信（ＵＲＬＬＣ（Ultra Reliable Low Latency Communications））のケースにおいて使用されることが提案されている。
【０００４】
３ＧＰＰデュアルコネクティビティ
【０００５】
ＤＣは、ＬＴＥおよびＥ−ＵＴＲＡ−ＮＲ ＤＣ（ＥＮ−ＤＣ）の両方に対して標準化されている。ＬＴＥ ＤＣおよびＥＮ−ＤＣは、どのノードが何を制御するかに関して、異なるように設計される。基本的に、２つのオプション、すなわち、集中型（centralized）ソリューション（ＬＴＥ−ＤＣ等）と、分散型（decentralized）ソリューション（ＥＮ−ＤＣ等）とがある。
【０００６】
図１は、ＬＴＥ ＤＣおよびＥＮ−ＤＣ におけるデュアルコネクティビティのための制御プレーンアーキテクチャを示す。ここでの主な違いは、ＥＮ−ＤＣにおいて、ＳＮが別個のＲＲＣエンティティ（ＮＲ ＲＲＣ）を有することである。これは、ＳＮが時にはＭＮを知らずにＵＥを制御することもできるが、ＳＮがＭＮと調整する必要があることが多いことを意味する。ＬＴＥ−ＤＣでは、ＲＲＣ決定は、常にＭＮ（ＭＮからＵＥ）から来る。しかしながら、ＳＮがどのような種類のリソース、能力等を有するかの知識を有するのはＳＮ自体のみであるので、ＳＮは依然としてＳＮの設定を決定することに留意されたい。
【０００７】
２つの異なるＤＣ仕様およびそれらのＲＲＣメッセージは、以下でより詳細に説明される。
【０００８】
ＬＴＥ ＤＣ
【０００９】
ＭｅＮＢがＳｅＮＢ追加を要求することを決定すると、ＭｅＮＢは、ＳＣＧ−ＣｏｎｆｉｇＩｎｆｏ[３６．３００、ｐ１０５］内で、ＭＣＧ設定およびＵＥ能力調整のためのＵＥ能力全体、ならびに追加が要求されたＳＣＧセルの最新の測定結果を示す。ＳＮは、ＳＣＧ−Ｃｏｎｆｉｇおよび最新のｍｅａｓＣｏｎｆｉｇを用いて確認応答をＭｅＮＢに応答する。ＭｅＮＢは、ＳＣＧ-Ｃｏｎｆｉｇ設定を受け入れると、ＵＥにもこれを送信するだけでなく、ＲＲＣＣｏｎｎｅｃｔｉｏｎＲｅｃｏｎｆｉｇｕｒａｔｉｏｎ（接続再構成）メッセージにおいてＵＥ測定設定（ＭｅａｓＣｏｎｆｉｇ）をＵＥに送信する。
【００１０】
図２は、ＬＴＥ−ＤＣ構成の概要を示す。
【００１１】
ＭｅＮＢは、ＳＣＧ-ＣｏｎｆｉｇをＳｅＮＢから変更することはできず、受け入れるか拒否するだけである。この理由は、ＭｅＮＢがＳｅＮＢの利用可能なリソースおよび能力を完全に認識していないからである。したがって、ＭｅＮＢがＳＣＧ−Ｃｏｎｆｉｇを修正する場合、ＵＥが不正確なリソースを利用する場合につながる可能性がある。実際には、測定設定はＭＮによって制御される。また、ＬＴＥ−ＤＣ集中型ソリューションでは、ＵＥの測定報告がＭＮにのみ送信されることにも留意されたい。
【００１２】
ＥＮ-ＤＣ
【００１３】
第２のオプションは、ＥＮ−ＤＣによって使用される分散型オプションを使用することである。これは、ＳＮが測定を用いてＵＥを直接的に設定することができることを意味する。
【００１４】
ＥＮ−ＤＣでは、分散型測定設定を有する主な理由がレイテンシ（待ち時間）要件であった。したがって、ＳＮが（ＭＮを伴うことなく）別個に測定を設定することを可能にする、ＳＮノード（ＮＲ）のための専用のＳＲＢ（ＳＲＢ３と呼ばれる）をサポートすることによって、ＳＮは、測定および測定設定を高速化することができる。ここで考えることは、（ＮＲ無線を使用する）ＳＲＢ３が対応するＬＴＥ ＳＲＢよりも高速な送信を可能にしうることである。また、ＭＮとＳＮとの間のバックホールリンクは輻輳している可能性があり、これは、測定報告設定および新しい測定設定の両方に悪影響を及ぼす可能性がある。
【００１５】
したがって、関連するノード（ＭＮまたはＳＮ）にＵＥ測定報告を直接送信することは、必要なアクション（例えば、ノード切り替え/ノード追加）を高速化することができる。分散型測定を有する別の理由は、ＬＴＥおよびＮＲがわずかに異なるＲＲＣおよび異なるモビリティを使用することであり、これもまた、責任を分割することを便利にする。
【００１６】
分散型ＥＮ−ＤＣソリューションのオプションは、測定能力調整を含む。最新の３ＧＰＰ合意によれば、ＳＮは、ＵＥが測定すべきキャリア周波数を変更するたびに、ＭＮに通知しなければならない。測定能力調整は、ＵＥが測定することができるキャリアの数を超えないことが必要である（また、ギャップ調整についても、以下を参照されたい）。ＭＮおよびＳＮがＵＥが測定することができるよりも多くのキャリアを設定する場合、ＵＥは、おそらく、測定のために１つまたは複数のキャリアをランダムに無視することになる。最悪の場合、これらの無視されたキャリアは、測定する最も重要なキャリアでありうる。
【００１７】
ＳＮは、ＭＮから、最大数の周波数レイヤまたは報告設定についての新しい値を受信し、以前の最大値に基づいて、すべての許可された測定または報告設定をすでに設定している場合、新しい制限に準拠するために、必要な数の測定または報告設定を解放する。
【００１８】
ここで、なぜ測定された周波数キャリアを調整することが重要であるかを説明した。しかし、これが測定ギャップを調整するために使用されることも上述されている。なぜＭＮとＳＮとの間の測定ギャップも調整することが重要であるかを理解するために、ＥＮ−ＤＣにおける測定がどのように機能するかを以下により詳細に説明する。
【００１９】
ＥＮ−ＤＣにおける測定ギャップ
【００２０】
ＥＮ−ＤＣは、「ＬＴＥ周波数」と非常に高い５Ｇ周波数の両方を使用する場合がある。３ＧＰＰは、ＦＲ１とＦＲ２の周波数を区別する。ＦＲ１は、６ＧＨｚ未満、ＦＲ２は２８ＧＨｚを超えている。これがこのように行われる理由は、異なるＵＥ能力のためである。いくつかのより高度な（advanced）ＵＥは、ＦＲ１上でデータを受信し、ＦＲ２上で同時に測定することができるが（もちろん、その逆も同様）、いくつかのＵＥは、ＦＲ１上で測定することができず、ＦＲ２上で同時にデータを受信することができない（およびその逆も同様）。
【００２１】
任意の周波数（ＦＲ１またはＦＲ２）で測定できるようにするために、ＵＥは、いわゆる「ギャップ」、すなわち、ＵＥがこの周波数でデータを受信せず、この周波数範囲内の他のセルで測定することに焦点を当てることができるある時間で設定されなければならない。ＵＥがＦＲ１でデータを受信し、ＦＲ２で同時に測定することができる場合（およびその逆）、「ギャップ」は、ＦＲごとのギャップ（Ｐｅｒ−ＦＲ  ｇａｐ）と呼ばれる。ＵＥがＦＲ１上で測定することができず、ＦＲ２上で同時にデータを受信することができない場合（およびその逆）、それはＵＥごとのギャップ（Ｐｅｒ−ＵＥ  ｇａｐ）と呼ばれる。最も効率的な方法は、ＵＥごとのギャップがすべてのサービングセルのスケジューリングに影響を及ぼし、その結果、ＦＲ１およびＦＲ２データの両方が中断され、すなわち、すべてのデータ送信が、ＵＥごとのギャップ測定のために短期間にわたって影響を受けるので、常にＦＲごとのギャップを設定することである。
【００２２】
ＲＡＮ２は、ネットワークがＵＥごとのギャップまたはＵＥのＦＲごとのギャップのいずれかを選択することができることに合意した。前述のように、ＭＮおよびＳＮの両方は、測定ギャップを用いてＵＥを設定することができる。したがって、いくらかのギャップ調整が必要である。
【００２３】
一般に、ＵＥが、ＵＥごと、に対応可能である場合、ＭＮは、ＵＥへのギャップを設定する。したがって、ＭＮはＳＮにも適したギャップを計算するためにＳＮ周波数を知る必要があり、次にこのギャップ設定をＳＮに送る。ＳＮは、ＣＧ−Ｃｏｎｆｉｇを介してＦＲ１/ＦＲ２周波数をＭＮに送ることができる。
【００２４】
ＵＥが、ＦＲ１/ＦＲ２ごとのギャップに対応できる場合、ＭＮは、ＦＲ１ギャップを設定し、ＳＮは、ＦＲ２ギャップを設定することが決定される。しかしながら、ＦＲ１/ＦＲ２ごとのギャップの場合、ＭＮおよびＳＮはギャップを調整する必要があり、したがって、それらは重ならない。
【００２５】
ＵＥごとのギャップまたはＬＴＥ/ＦＲ１ごとのギャップのいずれについても、ＭＮは、ＣＧ−ＣｏｎｆｉｇＩｎｆｏを介してＳＮにギャップパターンを送信する（ＣＧ−ＣｏｎｆｉｇＩｎｆｏは、ＬＴＥにおけるＳＣＧ−ＣｏｎｆｉｇのＮＲ名である）。
【００２６】
ＥＮ−ＤＣの概要
【００２７】
上記のＥＮ−ＤＣ測定設定の概要が図３に示される。ＬＴＥ−ＤＣと比較した重要な違いは、ＳＮがＵＥの測定を設定することもできるので、ＳＲＢ３（設定されている場合）を介してＳＮにも送信されることであることに留意されたい。次いで、ＳＮは、これらの測定値に直接作用し、ＭＮは、これらの測定値を決して受信しない（少なくとも、デフォルトでこれをサポートする仕様は存在しない）。
【００２８】
ＭＲ−ＤＣ
【００２９】
マルチ無線/マルチＲＡＴデュアルコネクティビティ（ＭＲ−ＤＣ）は、２つのＮＲノードまたは１つのＮＲノードおよび１つのＬＴＥノードを有するデュアルコネクティビティ（ＤＣ）オプションを含む。シナリオに応じて、ＮＲノードは、マスタノード（ＭＮ）またはセカンダリノード（ＳＮ）のいずれか、または両方になる。ＤＣシナリオに２つのＮＲノードがある場合、このアーキテクチャは、ノードが５Ｇコアネットワークに接続されるＮＲ−ＤＣと呼ばれる。
【００３０】
ＭＲ−ＤＣオプションのための測定ギャップ設定は、３ＧＰＰ電子メールの議論「［１０３#５２］ MR-DC measurement and gap configuration framework（ＭＲ−ＤＣ測定およびギャップ設定フレームワーク）」に取り組まれた。電子メールの議論からの結果は、ＭＲ−ＤＣオプションのための測定設定がＥＮ−ＤＣ原理に従うことであり、したがって、ＭＮおよびＳＮは、測定（値）を独立して設定することができる。
【００３１】
マルチコネクティビティ
【００３２】
マルチコネクティビティ（ＭＣ）を伴うアイデアは、ＵＥが、２つ以上のノード、すなわち複数のＳＮノードに接続できることである。ＭＣの利点は、ＤＣと同様であるが、ＭＣは、例えば、集中型スケジューラ、さらにロバストなモビリティなど、さらに多くの新しいエリアを利用することを可能にする。
【００３３】
１つのタイプの無線、例えば、ＮＲ基地局のみを用いたマルチコネクティビティソリューションの場合、分散型ソリューションを有するための上記の議論のいくつかは、すべてのＮＲノードが等しく能力を有するべきであるため、もはや強力ではない。
【００３４】
マイグレーションの観点から、ＭＣに対してもＥＮ−ＤＣ原理を使用し続けること、すなわち分散型ソリューションを使用することは自然である。また、ノードの能力が異なる場合（７００ＭＨｚ対２８ＧＨｚノードなど）など、分散型の測定ソリューションが有益である場合もある。
【００３５】
ＮＲにおける動作帯域（３ＧＰＰ仕様：ＴＳ３８．１０４ｖ１５．０２ Ｓｅｃｔｉｏｎ ５．１）。
【００３６】
この項で提示されるチャネル構成は、現在の仕様のリリースで定義されている動作帯域およびＢＳチャネル帯域幅に基づく。
【００３７】
注：将来のリリースでは、他の動作帯域およびＢＳチャネル帯域幅を考慮されうる。
【００３８】
ＲＦ仕様全体にわたる要件は、多くの場合、異なる周波数範囲（ＦＲ）に対して別々に定義される。ＮＲが現在の３ＧＰＰ仕様（すなわち、３８．１０４ ｖ１５．０２）に従って動作することができる周波数範囲は、以下の表１を参照されたい。
2022501878.tif 000003
【００３９】
ＴＳ ３８．３３１ Ｒｅｌｅａｓｅ １５に定義されているＮＲ測定設定ＩＥは、以下の表２に再現されている。
2022501878.tif 000004
【００４０】
ＭｅａｓＣｏｎｆｉｇフィールドの説明を以下の表３に示す。
2022501878.tif 000005
【発明の概要】
【００４１】
いくつかの実施形態は、デュアルコネクティビティをサポートする通信ネットワークにおける方法を提供する。本方法は、ユーザ装置（ＵＥ）と、ＵＥにデュアルコネクティビティサービスを提供するセカンダリセルグループとの間の無線チャネルの測定のための測定設定情報要素（ＩＥ（Information Element））を生成することと、無線リソース制御（ＲＲＣ）メッセージにおいて測定設定ＩＥをＵＥに送信することを含む。
【００４２】
本方法は、測定設定フィールドに測定設定ＩＥをカプセル化することを更に含むことができ、ここで、測定設定フィールドは、測定報告のためにＵＥによって使用される、定義されたシグナリング無線ベアラ（ＳＲＢ）に関連付けられる。
【００４３】
本方法は、ＲＲＣメッセージに応答して、定義されたＳＲＢでＵＥから測定報告を受信することをさらに含みうる。
【００４４】
ＲＲＣメッセージは、ＲＲＣＲｅｃｏｎｆｉｇｕｒａｔｉｏｎ（再構成）メッセージを含みうる。
【００４５】
測定設定フィールドは、第１の測定設定フィールドを含むことができ、ＲＲＣメッセージは、第１の測定設定ＩＥとは異なる測定設定ＩＥを含む第２の測定設定フィールドを含むことができる。
【００４６】
定義されたＳＲＢは、第１の定義されたＳＲＢを含むことができ、第２の測定設定フィールドは、第２の定義されたＳＲＢに関連することができる。
【００４７】
測定設定ＩＥは、通信ネットワークにおける第１のノードによって生成されてもよく、測定設定ＩＥをカプセル化する測定設定フィールドは、第１のノードとは異なる通信ネットワークにおける第２のノードによってＵＥに送信されてもよい。
【００４８】
いくつかの実施形態では、第１のノードは、マスタノードを含むことができ、第２のノードは、セカンダリセルグループに関連付けられてもよい。いくつかの実施形態では、第１のノードは、セカンダリセルグループに関連付けられてもよく、第２のノードは、マスタノードであってもよい。
【００４９】
セカンダリセルグループは、分散ユニット（distributed unit）に関連付けられてもよく、測定設定ＩＥは、セントラル（集約）ユニット（central unit）によって生成されてもよい。
【００５０】
測定設定ＩＥを生成することと、測定設定フィールドに測定設定ＩＥをカプセル化することは、通信ネットワークにおける異なるノードにおいて実行されてもよい。
【００５１】
測定設定フィールドに測定設定ＩＥをカプセル化することと、測定設定フィールドを含むＲＲＣメッセージを送信することは、通信ネットワークにおける異なるノードにおいて実行されてもよい。
【００５２】
測定設定ＩＥを生成すること、測定設定フィールドに測定設定ＩＥをカプセル化すること、および、測定設定フィールドを含むＲＲＣメッセージを送信することは、通信ネットワークにおける異なるノードにおいて実行されてもよい。
【００５３】
定義されたＳＲＢは、ＳＲＢ３であってもよい。ＳＲＢ３は、ＵＥとセカンダリセルグループとの間のＳＲＢであってもよい。
【００５４】
ＲＲＣメッセージは、ＳＲＢ１ベアラを介してＵＥに送信されてもよい。
【００５５】
ＲＲＣメッセージは、ＳＲＢ１ベアラを介してＵＥに送信される第２のＲＲＣメッセージに埋め込まれた第１のＲＲＣメッセージを含んでもよい。
【００５６】
ＲＲＣメッセージは、ＳＲＢ３ベアラを介してＵＥに送信されてもよい。
【００５７】
いくつかの実施形態による処理ユニットは、処理回路と、処理回路に結合されたネットワークインターフェースと、処理回路に結合されたメモリとを含み、メモリは処理回路によって実行されると、処理ユニットに、ユーザ装置（ＵＥ）と、ＵＥにデュアルコネクティビティサービスを提供するセカンダリセルグループとの間の無線チャネルの測定のための測定設定情報要素（ＩＥ）を生成する動作と、無線リソース制御（ＲＲＣ）メッセージで測定設定ＩＥをＵＥに送信する動作とを実行させる、機械可読コンピュータプログラム命令を記憶する。
【００５８】
いくつかの実施形態によれば、ユーザ装置（ＵＥ）の動作方法は、無線リソース制御（ＲＲＣ）測定設定フィールドを含むメッセージを受信することと、ＵＥと、ＵＥにデュアルコネクティビティサービスを提供するセカンダリセルグループとの間の無線チャネルの測定のために、測定設定情報要素（ＩＥ）を抽出することとを含む。
【００５９】
本方法は、ＲＲＣメッセージに応答して無線チャネルで測定を実行することと、測定報告をネットワークノードに送信することをさらに含むことができる。
【００６０】
測定設定フィールドは、測定報告のためにＵＥによって使用される、定義されたシグナリング無線ベアラ（ＳＲＢ）に関連付けられうる。測定報告を送信することは、定義されたＳＲＢで測定報告を送信することを含みうる。
【００６１】
ＲＲＣメッセージは、ＲＲＣＲｅｃｏｎｆｉｇｕｒａｔｉｏｎ（再構成）メッセージを含みうる。
【００６２】
測定設定フィールドは、第１の測定設定フィールドを含むことができ、ＲＲＣメッセージは、第１の測定設定ＩＥとは異なる測定設定ＩＥを含む第２の測定設定フィールドを含むことができる。
【００６３】
定義されたＳＲＢは、第１の定義されたＳＲＢを含むことができ、第２の測定設定フィールドは、第２の定義されたＳＲＢに関連付けられうる。
【００６４】
ＲＲＣメッセージは、ＳＲＢ１ベアラを介してマスタノードから受信されてもよい。
【００６５】
ＲＲＣメッセージは、ＳＲＢ１ベアラを介してＵＥに送信される第２のＲＲＣメッセージに埋め込まれた第１のＲＲＣメッセージを含んでもよい。
【００６６】
ＲＲＣメッセージは、ＳＲＢ３ベアラを介してセカンダリセルグループから受信されてもよい。
【００６７】
いくつかの実施形態によれば、ユーザ装置（ＵＥ）は、処理回路と、処理回路に結合された無線トランシーバと、処理回路に結合されたメモリとを含み、メモリは処理回路によって実行されると、ＵＥに、無線リソース制御（ＲＲＣ）測定設定フィールドを含むメッセージを受信する動作と、ＵＥと、ＵＥにデュアルコネクティビティサービスを提供するセカンダリセルグループとの間の無線チャネルの測定のための測定設定情報要素（ＩＥ）を抽出する動作とを実行させる、機械可読コンピュータプログラム命令を記憶する。
【図面の簡単な説明】
【００６８】
【図１】図１は、ＬＴＥ ＤＣおよびＥＮ−ＤＣにおけるデュアルコネクティビティのための制御プレーンアーキテクチャを示す。
【図２】図２は、ＬＴＥ−ＤＣ構成の概要を示す。
【図３】図３は、ＥＮ−ＤＣ測定設定の概要を示す。
【図４】図４は、機能分割を有する５Ｇ ＮＲ ｇＮＢ論理アーキテクチャを示す。
【図５】図５および、
【図６】図６は、いくつかの実施形態によるネットワークノードの動作を示す。
【図７】図７は、いくつかの実施形態によるユーザ装置の動作を示す。
【図８】図８は、いくつかの実施形態によるネットワークノードのいくつかの要素を示すブロック図である。
【図９】図９は、いくつかの実施形態によるユーザ装置のいくつかの要素を示すブロック図である。
【図１０】図１０は、いくつかの実施形態による無線ネットワークのブロック図である。
【図１１】図１１は、いくつかの実施形態によるユーザ装置のブロック図である。
【図１２】図１２は、いくつかの実施形態による仮想化環境のブロック図である。
【図１３】図１３は、いくつかの実施形態による、中間ネットワークを介してホストコンピュータに接続された電気通信ネットワークのブロック図である。
【図１４】図１４は、いくつかの実施形態による、部分無線接続を介してユーザ装置と基地局を介して通信するホストコンピュータのブロック図である。
【図１５】図１５は、いくつかの実施形態による、ホストコンピュータ、基地局、およびユーザ装置を含む通信ネットワークにおいて実施される方法のブロック図である。
【図１６】図１６は、いくつかの実施形態による、ホストコンピュータ、基地局、およびユーザ装置を含む通信ネットワークにおいて実施される方法のブロック図である。
【図１７】図１７は、いくつかの実施形態による、ホストコンピュータ、基地局、およびユーザ装置を含む通信ネットワークにおいて実施される方法のブロック図である。
【図１８】図１８は、いくつかの実施形態による、ホストコンピュータ、基地局、およびユーザ装置を含む通信ネットワークにおいて実施される方法のブロック図である。
【発明を実施するための形態】
【００６９】
発明の概念の実施形態の例が示されている添付の図面を参照して、本発明の概念を以下により完全に説明する。しかしながら、本発明の概念は多くの異なる形態で具体化されてもよく、本明細書に記載の実施形態に限定されると解釈されるべきではない。むしろ、これらの実施形態は、この開示が徹底的かつ完全であり、そして本発明の概念の範囲を当業者に十分に伝えるように提供される。これらの実施形態は相互に排他的ではないことにも留意されたい。一実施形態からの構成要素は、他の実施形態に存在する／使用されると暗黙的に想定され得る。
【００７０】
以下の説明は、開示された主題の様々な実施形態を提示する。これらの実施形態は、教示例として提示され、開示された主題の範囲を限定するものとして解釈されるべきではない。例えば、記載された実施形態の特定の詳細は、記載された主題の範囲から逸脱することなく、修正され、省略され、または拡張されてもよい。
【００７１】
現在、ＮＲ−ＤＣの場合、測定設定（measurement configuration）および報告（reporting）がどのように行われるかについての仕様はない。例えば、ＮＲ ＡＳＮ．１は、現在、ＭＮおよびＳＮの両方がＵＥ測定を設定することを可能にするＮＲ−ＤＣ測定設定を完全にはサポートしていない。さらに、報告手順も規定されていない。
【００７２】
さらに重要なことには、当業者には直接的なソリューション（解決策）がなく、ＮＲ−ＤＣにおいて測定報告をどのように正しく報告することができるかに関するその明確さもない。これは、ＵＥの観点から、測定設定がＭＮまたはＳＮまたはセントラルユニット（ＣＵ）によって生成/設定されるかどうかにかかわらず、ＮＲ ＡＳＮ．１において符号化された測定設定情報要素（ＩＥ）として提供されるからである。ＭＮおよびＳＮ ＲＲＣエンティティ（およびＣＵ）が測定値を設定することを可能にし、ＵＥがトリガされた測定値を正しく報告することを可能にするために、ソリューションが必要とされる。Abstract Syntax Notation One （ＡＳＮ．１）は、クロスプラットフォームの方法でシリアル化および非シリアル化できるデータ構造を定義するための標準インタフェース記述言語である。
【００７３】
別の問題は、ＤＣソリューションは、調整を必要とし、最小化されるべきであることである。背景技術で述べたように、ＤＣはＭＣに向かって発展し、測定設定および調整の複雑さをさらに増大させる可能性がある。ＮＲ−ＤＣのために提供されるソリューションは、どのノードが実際に最終測定設定（ＭＮまたはＳＮ ＲＲＣメッセージ内にカプセル化される）を送信するかにかかわらず、ＭＮまたはＳＮのいずれかが測定設定を生成することを可能にするべきである。
【００７４】
分割（スプリット）アーキテクチャの場合、セントラルユニット（ＣＵ）がＲＲＣおよびＰＤＣＰを採用するのに対して、２つ以上のＤＵがＰＨＹ、ＭＡＣおよびＲＬＣを採用すると、ＭＮおよびＳＮの概念は消滅する。したがって、測定設定および報告ソリューションは、ＭＮおよびＳＮ自体に厳密に結び付けられるべきではない。
【００７５】
いくつかの実施形態によれば、測定設定は、指定されたＮＲ測定設定情報要素（ＩＥ）の形態で、ＭＮまたはＳＮまたはセントラルユニット（ＣＵ）のいずれかによって生成/設定され得る。
【００７６】
測定設定ＩＥは、ＲＲＣメッセージにおける指定された測定設定フィールドのうちの１つにカプセル化され得る。各指定されたフィールドは、フィールド名が（ＩＥで与えられた設定によってトリガされた）測定報告がどのように報告されるべきかを示すことができるように定義される。特に、フィールド名は、どのシグナリング無線ベアラ（ＳＲＢ）が測定報告のためにＵＥによって使用されるかを示すことができる。
【００７７】
測定設定フィールドは、どのノードまたはユニットから測定設定ＩＥが生成/設定されるかにかかわらず、ＭＮまたはＳＮ ＲＲＣメッセージによって送信することができる。
【００７８】
測定設定ＩＥが最終ＲＲＣメッセージをＵＥに送信しないノードまたはユニットによって生成される場合、測定設定ＩＥを、測定設定を送信するノードに転送するために、ノード間/ユニット間ＲＲＣメッセージまたはノード間/ユニット間Ｘ２ＡＰメッセージが使用されるべきである。
【００７９】
ここで説明されるいくつかの実施形態は、測定設定フィールドがＩＥを設定/生成するノードに結び付けられていないので、どのノードまたはユニットが最終測定設定を送信するかにかかわらず、ＭＮ、ＳＮ、およびＣＵが測定設定を生成することを可能にし得る。これにより、設定を柔軟に行うことができる。また、測定設定フィールド（名前）を、測定報告のために事前定義されたＳＲＢにマッピングすることができるので、測定報告における曖昧さを回避することができる。
【００８０】
測定設定は、指定されたＮＲ測定設定情報要素（ＩＥ）の形態で、ＭＮまたはＳＮまたはセントラルユニット（ＣＵ）のいずれかによって生成/設定することができる。分割アーキテクチャの場合、ＲＲＣ（およびＰＤＣＰ）レイヤプロトコル（複数可）が配置されるＣＵは、ＭＣＧ分散ユニット（ＤＵ）またはＳＣＧ ＤＵを介して送信され得る１つまたは複数のＲＲＣメッセージフィールドにカプセル化されるＩＥの形態ですべての測定設定を生成しうる。ＤＵ ＰＨＹでは、ＭＡＣおよびＲＬＣレイヤプロトコルが配置される。
【００８１】
測定設定ＩＥは、ＲＲＣメッセージにおける指定された測定設定フィールドのうちの１つにカプセル化される。以下のＡＳＮ.１の例に示すように、ｍｅａｓＣｏｎｆｉｇとｍｅａｓＣｏｎｆｉｇ２という２つのＲＲＣフィールドが測定設定のために存在することができる。これにより、測定設定の２つの異なる処理に関連付けることができる測定設定の２つの設定を送ること、ならびに各設定セットによるトリガされた測定の測定報告を送ることが可能になる。ｍｅａｓＣｏｎｆｉｇ２フィールドは、ＭｅａｓＣｏｎｆｉｇ ＩＥ（背景技術の項で定義されている）をオクテット文字列としてカプセル化し、ＭＮ/ＳＮ/ＣＵによって生成された測定設定をＭｅａｓＣｏｎｆｉｇ ＩＥの形態でカプセル化できる。いくつかの実施形態では、ｍｅａｓＣｏｎｆｉｇフィールドに埋め込まれたＩＥが異なるリリースノード/ＨＷの使用を可能にするＮＲ ＲＲＣの異なるリリースから採用されてもよい。さらに、いくつかの実施形態では、ノード（すなわち、ＭＮまたはＳＮ）またはユニット（すなわち、ＤＵ）は測定設定フィールドを含む最終メッセージを、ＩＥを生成したノードまたはユニット（すなわち、ＣＵ）とは異なるものとすることができる。さらに、別の実施形態では、ｍｅａｓＣｏｎｆｉｇＸフィールドにＭｅａｓＣｏｎｆｉｇ ＩＥをカプセル化したノードがＩＥを設定/生成したノードとは異なるものとすることができる。さらなる実施形態では、例えば、報告または処理の３つの異なる方法に結びつけることができる測定設定の３つ以上の設定を与えるために、ＭｅａｓＣｏｎｆｉｇ ＩＥをカプセル化する３つ以上の測定設定フィールドが存在することができる。マルチコネクティビティに３つ以上のノードがあり、セカンダリノードにＵＥ への直接ＳＲＢ がある場合は、さらに多くのｍｅａｓＣｏｎｆｉｇフィールドが必要になることがある。いくつかの実施形態ではｍｅａｓＣｏｎｆｉｇフィールドの数とＭｅａｓＣｏｎｆｉｇ ＩＥを生成できるノードの数は同じであるが、他の場合は異なる可能性がある。いくつかの実施形態では、指定または存在するｍｅａｓＣｏｎｆｉｇフィールドの数が、設定可能または設定されたシグナリング無線ベアラ（ＳＲＢ）の数と相関させることができる。
【００８２】
各指定されたフィールドは、フィールド名が（ＩＥで与えられた設定によってトリガされた）測定報告がどのように報告されるべきかを示すことができるように定義される。ここで、「どのように」とは、測定報告のためにどのシグナリング無線ベアラ（ＳＲＢ）がＵＥによって使用されるかを指す。ＵＥの動作を定義する手順の例を以下の付録に示す。以下の手順例に示すように、どのＳＲＢによって測定報告が送信されるかは、測定設定フィールド（例えば、ｍｅａｓＣｏｎｆｉｇまたはｍｅａｓＣｏｎｆｉｇ２）が測定報告をトリガしたＭｅａｓＣｏｎｆｉｇ ＩＥを有するかに依存する。以下の例では、ＵＥとＳＮとの間に設定されたＳＲＢ３が存在し、ｍｅａｓＣｏｎｆｉｇ２内にカプセル化された測定設定が報告をトリガした場合、報告はＳＲＢ３を介して行われる。いくつかの実施形態では、測定報告に関しては同じフィールドを同じＳＲＢに結び付けることができるが、他のフィールドでは各フィールドが報告するＳＲＢを示すことができる。ＮＲ ＲＲＣでは、ＳＲＢ１/ＳＲＢ２はＭＮとＵＥとの間のＳＲＢであり、ＳＲＢ３はＳＮとＵＥとの間の直接ＳＲＢであることに留意されたい。
【００８３】
図４は、機能分割を有する５Ｇ ＮＲ ｇＮＢ論理アーキテクチャを示す。そこに示されるように、ｇＮＢ２００は、論理制御ユニット（ＣＵ）ノードと、異なるプロトコルレイヤを実装する１つまたは複数の論理分散ユニット（ＤＵ）ノードとを含むことができ、例えば、ＤＵは、ＰＨＹ、ＭＡＣ、およびＲＬＣレイヤを実装することができ、一方、ＣＵは、より高いレイヤを実装することができる。ＣＵは、コアネットワーク制御プレーン（ＣＰ）およびユーザプレーン（ＵＰ）と通信する。これにより、ｇＮＢ２００は、異なるＤＵを介してＵＥ１００にデュアルコネクティビティを提供することができる。
【００８４】
図５は、デュアルコネクティビティをサポートする通信ネットワークにおける方法のフローチャートである。本方法は、ユーザ装置（ＵＥ）と、ＵＥにデュアルコネクティビティサービスを提供するために追加されることができるノードとの間の無線チャネルの測定のための測定設定情報要素（ＩＥ）を生成すること（５０２）、測定設定フィールドに測定設定ＩＥをカプセル化すること（５０４）を含み、測定設定フィールドは、測定報告のためにＵＥによって使用されることができる、定義されたシグナリング無線ベアラ（ＳＲＢ）に関連付けられうる、ならびに、無線リソース制御（ＲＲＣ）メッセージにおいて測定設定フィールドをＵＥに送信すること（５０６）を含む。
【００８５】
図６を参照すると、本方法は、ＲＲＣメッセージに応答して、定義されたＳＲＢでＵＥから測定報告を受信すること（６０２）をさらに含みうる。
【００８６】
ＲＲＣメッセージは、ＲＲＣＲｅｃｏｎｆｉｇｕｒａｔｉｏｎ（再構成）メッセージを含みうる。
【００８７】
測定設定フィールドは、第１の測定設定フィールドを含むことができ、ＲＲＣメッセージは、第１の測定設定フィールドとは異なる測定設定ＩＥを含む第２の測定設定フィールドを含むことができる。
【００８８】
定義されたＳＲＢは、第１の定義されたＳＲＢを含むことができ、第２の測定設定フィールドは、第２の定義されたＳＲＢに関連付けられることができる。
【００８９】
測定設定ＩＥは、通信ネットワークにおける第１のノードによって生成されることができ、測定設定ＩＥをカプセル化する測定設定フィールドは、第１のノードとは異なることができる通信ネットワークにおける第２のノードによってＵＥに送信されうる。
【００９０】
第１のノードは、マスタノードを含み、第２のノードは、ＵＥにデュアルコネクティビティサービスを提供するために追加され得るノードを含みうる。
【００９１】
第１のノードは、ＵＥにデュアルコネクティビティサービスを提供するために追加されることができるノードを含むことができ、第２のノードは、マスタノードを含むことができる。
【００９２】
ＵＥにデュアルコネクティビティサービスを提供するために追加されることができるノードは、分散ユニットを含むことができ、測定設定ＩＥは、セントラルユニットによって生成されることができる。
【００９３】
測定設定ＩＥを生成することと、測定設定ＩＥを測定設定フィールドにカプセル化することは、通信ネットワークにおける異なるノードにおいて実行されてもよい。
【００９４】
測定設定フィールドに測定設定ＩＥをカプセル化することと、測定設定フィールドを含むＲＲＣメッセージを送信することは、通信ネットワークにおける異なるノードにおいて実行されてもよい。
【００９５】
測定設定ＩＥを生成すること、測定設定フィールドに測定設定ＩＥをカプセル化すること、および、測定設定フィールドを含むＲＲＣメッセージを送信することは、通信ネットワークにおける異なるノードにおいて実行されてもよい。
【００９６】
定義されたＳＲＢは、ＳＲＢ３を含むことができる。ＳＲＢ３は、ＵＥと、ＵＥにデュアルコネクティビティサービスを提供するために追加されることができるノードとの間のＳＲＢであってもよい。
【００９７】
いくつかの実施形態による処理ユニットは、処理回路と、処理回路に結合されたネットワークインターフェースと、処理回路に結合されたメモリであって、処理回路によって実行されると、ユーザ装置（ＵＥ）と、ＵＥにデュアルコネクティビティサービスを提供するために追加されることができるノードとの間の無線チャネルの測定のために、測定設定情報要素（ＩＥ）を生成する動作と、測定設定フィールドに測定設定ＩＥをカプセル化する動作であって、測定設定フィールドは、測定報告のためにＵＥによって使用されることができる定義されたシグナリング無線ベアラ（ＳＲＢ）に関連することができる、動作と、無線リソース制御（ＲＲＣ）メッセージ内で測定設定フィールドをＵＥに送信する動作とを、処理ユニットに実行させる、機械可読コンピュータプログラム命令を記憶するメモリを含む。
【００９８】
図７は、ユーザ装置（ＵＥ）を動作方法を示す。この方法は、測定設定フィールドを含む無線リソース制御ＲＲＣメッセージを受信すること（７０２）であって、測定設定フィールドは測定報告のためにＵＥによって使用される、定義されたシグナリング無線ベアラ（ＳＲＢ）に関連付けられる、ことと、ＵＥと、ＵＥにデュアルコネクティビティサービスを提供するために追加されることができるノードとの間の無線チャネルの測定のために、測定設定情報要素（ＩＥ）を抽出すること（７０４）と、ＲＲＣメッセージに応答して、無線チャネルで測定を実行すること（７０６）と、定義されたＳＲＢで測定報告を送信すること（７０８）、を含む。
【００９９】
ＲＲＣメッセージは、ＲＲＣＲｅｃｏｎｆｉｇｕｒａｔｉｏｎ（再構成）メッセージを含みうる。
【０１００】
測定設定フィールドは、第１の測定設定フィールドを含むことができ、ＲＲＣメッセージは、第１の測定設定フィールドとは異なる測定設定ＩＥを含む第２の測定設定フィールドを含むことができる。
【０１０１】
定義されたＳＲＢは、第１の定義されたＳＲＢを含むことができ、第２の測定設定フィールドは、第２の定義されたＳＲＢに関連付けられることができる。
【０１０２】
いくつかの実施形態によるユーザ装置は、処理回路と、処理回路に結合された無線トランシーバと、処理回路に結合されたメモリであって、処理回路によって実行されると、ＵＥに、測定設定フィールドを含む、無線リソース制御（ＲＲＣ）メッセージを受信する動作であって、測定設定フィールドは測定報告のためにＵＥによって使用されることができる、定義されたシグナリング無線ベアラ（ＳＲＢ）に関連することができる、動作と、ＵＥと、ＵＥにデュアルコネクティビティサービスを提供するために追加されることができるノードとの間の無線チャネルの測定のために、測定設定情報要素（ＩＥ）を抽出する動作と、ＲＲＣメッセージに応答して、無線チャネルで測定を実行する動作と、定義されたＳＲＢで測定報告を送信する動作を実行させる、機械可読コンピュータプログラム命令を記憶するメモリを含む。
【０１０３】
図８は、通信ネットワークのネットワークノード２００の要素を示すブロック図である。ここに記載する実施形態は、特定の規格に限定されないが、ネットワークノード２００は、通信ネットワークにおけるｇＮｏｄｅＢ（ｇＮＢ）またはｅＮｏｄｅＢ（ｅＮＢ）のようなＲＡＮノードを実装してもよい。図示のように、ネットワークノード２００は、通信ネットワークの他のノード（例えば、他の基地局、ＲＡＮノード、および/またはコアネットワークノード）との通信を提供するように構成されたネットワークインターフェース回路２０７（ネットワークインターフェースとも呼ばれる）を含むことができる。ネットワークノード２００はまた、ＵＥとの無線通信インターフェースを提供するための無線トランシーバ回路２０２を含みうる。ネットワークノード２００はまた、トランシーバ回路２０２およびネットワークインターフェース２０７に結合されたプロセッサ回路２０３（プロセッサとも呼ばれる）と、プロセッサ回路に結合されたメモリ回路２０５（メモリとも呼ばれる）とを含むことができる。メモリ回路２０５は、プロセッサ回路２０３によって実行されると、本明細書で開示される実施形態による動作をプロセッサ回路に実行させるコンピュータ可読プログラムコードを含むことができる。他の実施形態によれば、プロセッサ回路２０３は別個のメモリ回路が必要とされないように、メモリを含むように定義されてもよい。
【０１０４】
ここで説明するように、ネットワークノードの動作は、プロセッサ２０３、無線トランシーバ回路２０２、および/またはネットワークインターフェース２０７によって実行されうる。例えば、プロセッサ２０３は、ネットワークインターフェース２０７を制御して、ネットワークインターフェース２０７を介して通信を１つ以上の他のネットワークノードに送信し、および/または１つ以上の他のネットワークノードからネットワークインターフェースを介して通信を受信することができる。さらに、モジュールは、メモリ２０５に記憶されてもよく、これらのモジュールはモジュールの命令がプロセッサ２０３によって実行されるときに、プロセッサ２０３がそれぞれの動作（例えば、例示的な実施形態に関連してここで説明した動作）を実行するように命令を提供してもよい。
【０１０５】
図９は、通信ネットワークのＵＥ１００の要素を示すブロック図である。図示のように、ＵＥ１００は、基地局、アクセスポイントなどのネットワークノードとの無線通信インターフェースを提供するための無線トランシーバ回路１０２を含むことができる。ネットワークノード１００はまた、トランシーバ回路１０２に結合されたプロセッサ回路１０３（プロセッサとも呼ばれる）と、プロセッサ回路に結合されたメモリ回路１０５（メモリとも呼ばれる）とを含むことができる。メモリ回路１０５は、プロセッサ回路１０３によって実行されると、本明細書で開示される実施形態による動作をプロセッサ回路に実行させるコンピュータ可読プログラムコードを含むことができる。他の実施形態によれば、プロセッサ回路１０３は別個のメモリ回路が必要とされないように、メモリを含むように定義されてもよい。
【０１０６】
本明細書で説明するように、ＵＥ１００の動作は、プロセッサ１０３および無線トランシーバ回路１０２によって実行され得る。例えば、プロセッサ１０３は無線トランシーバ回路１０２を制御して、１つまたは他のネットワークノードに通信を送信し、および/または１つまたは他のネットワークノードから通信を受信することができる。さらに、モジュールは、メモリ１０５に記憶されてもよく、これらのモジュールはモジュールの命令がプロセッサ１０３によって実行されるときに、プロセッサ１０３がそれぞれの動作（例えば、例示的な実施形態に関連してここで説明した動作）を実行するように命令を提供してもよい。
【０１０７】
実施形態
実施形態１．デュアルコネクティビティをサポートする通信ネットワークにおける方法であって、
ユーザ装置（ＵＥ）と、該ＵＥにデュアルコネクティビティサービスを提供するために追加されるノードとの間の無線チャネルの測定のための測定設定情報要素（ＩＥ）を生成すること（５０２）と、
該測定設定ＩＥを測定設定フィールドにカプセル化すること（５０４）であって、該測定設定フィールドは、該ＵＥによって測定報告のために使用される、定義されたシグナリング無線ベアラ（ＳＲＢ）に関連付けられることと、
該測定設定フィールドを、無線リソース制御（ＲＲＣ）メッセージにおいてＵＥに送信すること（５０６）、を含む。
実施形態２．実施形態１の方法であって、さらに、
該ＲＲＣメッセージに応答して、該定義されたＳＲＢで該ＵＥから測定報告を受信すること（６０２）を含む。
実施形態３．実施形態１の方法であって、該ＲＲＣメッセージは、ＲＲＣＲｅｃｏｎｆｉｇｕｒａｔｉｏｎ（再構成）メッセージを含む。
実施形態４．前述の実施形態のいずれかの方法であって、該測定設定フィールドは、第１の測定設定フィールドを含み、該ＲＲＣメッセージは、該第１の測定設定フィールドとは異なる測定設定ＩＥを含む第２の測定設定フィールドを含む。
実施形態５．実施形態４の方法であって、該定義されたＳＲＢは、第１の定義されたＳＲＢを含み、該第２の測定設定フィールドは、第２の定義されたＳＲＢに関連付けられる。
実施形態６．前述の実施形態のいずれかの方法であって、該測定設定ＩＥは、該通信ネットワークにおける第１のノードによって生成され、該測定設定ＩＥをカプセル化する該測定設定フィールドは、該第１のノードとは異なる該通信ネットワークにおける第２のノードによって該ＵＥに送信される。
実施形態７．実施形態６の方法であって、該第１のノードは、マスタノードを含み、該第２のノードは、該ＵＥにデュアルコネクティビティサービスを提供するために追加されるノードを含む。
実施形態８．実施形態６の方法であって、該第１のノードは、該ＵＥにデュアルコネクティビティサービスを提供するために追加されるノードを含み、該第２のノードは、マスタノードを含む。
実施形態９．実施形態１から５のいずれかの方法であって、該ＵＥにデュアルコネクティビティサービスを提供するために追加される該ノードは、分散ユニットを備え、該測定設定ＩＥはセントラルユニットによって生成される。
実施形態１０．前述の実施形態のいずれかの方法であって、該測定設定ＩＥを生成することと、該測定設定フィールドに該測定設定ＩＥをカプセル化することは、該通信ネットワークにおける異なるノードにおいて実行される。
実施形態１１．前述の実施形態のいずれかの方法であって、該測定設定フィールドに該測定設定ＩＥをカプセル化することと、該測定設定フィールドを含む該ＲＲＣメッセージを送信することは、該通信ネットワークにおける異なるノードにおいて実行される。
実施形態１２．前述の実施形態のいずれかの方法であって、該測定設定ＩＥを生成すること、該測定設定ＩＥを該測定設定フィールドにカプセル化すること、および、該測定設定フィールドを含む該ＲＲＣメッセージを送信することは、該通信ネットワークにおける異なるノードにおいて実行される。
実施形態１３．前述の実施形態のいずれかの方法であって、該定義されたＳＲＢは、ＳＲＢ３を含む。
実施形態１４．実施形態１３の方法であって、該ＳＲＢ３は、該ＵＥと、該ＵＥにデュアルコネクティビティサービスを提供するために追加される該ノードとの間のＳＲＢである。
実施形態１５．処理ユニットであって、
処理回路（２０３）と、
該処理回路に結合されたネットワークインターフェース（２０７）と、
該処理回路に結合された該メモリ（２０５）であって、該処理回路によって実行されると、該処理ユニットに実施形態１から１４のいずれかによる動作を実行させる機械可読コンピュータプログラム命令を記憶するメモリを含む。
実施形態１６．ユーザ装置（ＵＥ）を動作させる方法（ＵＥの動作方法）であって、
測定設定フィールドを含む無線リソース制御（ＲＲＣ）メッセージを受信すること（７０２）であって、該測定設定フィールドは、測定報告のためにＵＥによって使用される、定義されたシグナリング無線ベアラ（ＳＲＢ）に関連付けられる、ことと、
該ＵＥと、該ＵＥにデュアルコネクティビティサービスを提供するために追加されるノードとの間の無線チャネルの測定のための測定設定情報要素（ＩＥ）を抽出すること（７０４）と、
該ＲＲＣメッセージに応答して無線チャネルで測定を実行すること（７０６）と、
該定義されたＳＲＢに関する測定報告を送信すること（７０８）、を含む。
実施形態１７．実施形態１６の方法であって、該ＲＲＣメッセージは、ＲＲＣＲｅｃｏｎｆｉｇｕｒａｔｉｏｎ（再構成）メッセージを含む。
実施形態１８  実施形態１６または１７の方法であって、該測定設定フィールドは、第１の測定設定フィールドを含み、該ＲＲＣメッセージは、該第１の測定設定フィールドとは異なる測定設定ＩＥを含む第２の測定設定フィールドを含む。
実施形態１９．実施形態１８の方法であって、該定義されたＳＲＢは、第１の定義されたＳＲＢを含み、該第２の測定設定フィールドは、第２の定義されたＳＲＢに関連付けられる。
実施形態２０．ユーザ装置（ＵＥ）であって、
処理回路（１０３）と、
該処理回路に結合された無線トランシーバ（１０２）と、
該処理回路に結合されたメモリ（１０５）であって、該処理回路によって実行されると、該ＵＥに実施形態１６から１９のいずれかによる動作を実行させる機械可読コンピュータプログラム命令を記憶するメモリを含む。
【０１０８】
以下、本開示で言及する略語について説明する。
略語          説明
ｅＮＢ        Ｅ−ＵＴＲＡＮ ノードＢ
ｇＮＢ        ＮＲ ノードＢ
ＬＴＥ        ロングタームエボリューション
ＮＲ          Ｎｅｗ  Ｒａｄｉｏ（新無線）
ＲＲＣ        無線リソース制御
ＵＥ          ユーザ装置
ｅＭＢＢ      拡張モバイルブロードバンド 
ＵＲＬＬＣ    超高信頼・低遅延通信
ＭＴＣ        マシンタイプ通信
ＯＦＤＭ      直交周波数分割多重
ＰＲＢ        物理リソースブロック
ＰＤＳＣＨ    物理ダウンリンク共有チャネル 
ＰＢＣＨ      物理ブロードキャストチャネル 
ＰＤＣＣＨ    物理ダウンリンク制御チャネル 
ＤＣＩ        ダウンリンク制御情報
ＲＢ          リソースブロック
ＲＲＣ        無線リソース制御
ＲＡＲ        ランダムアクセス応答
ＮＲ          Ｎｅｗ  Ｒａｄｉｏ（新無線）
ＤＬ          ダウンリンク
ＵＬ          アップリンク
ＳＳ          同期信号
ＰＳＳ        プライマリ同期信号
ＳＳＳ        セカンダリ同期信号
ＰＢＣＨ      物理ブロードキャストチャネル
ＳＳＢ        ＳＳＢ/ＰＢＣＨブロック
ＲＭＳＩ      残存最小システム情報
ＳＩ          システム情報
ＭＩＢ        マスタ情報ブロック
ＳＩＢ        システム情報ブロック
ＲＥ          リソースエレメント
ＭＡＣ−ＣＥ  媒体アクセス制御制御エレメント
ＲＮＴＩ      無線ネットワーク一時的識別子
ＣＲＣ        巡回冗長符号
ＡＳＮ．１    抽象構文記法１
ＢＳ          基地局
ＵＥ          ユーザ装置
ＲＲＣ        無線リソース制御
ＥＮ−ＤＣ    Ｅ−ＵＴＲＡ ＮＲデュアルコネクティビティ
ＦＲ１        周波数１
ＦＲ２        周波数２
ＳＲＢ        シグナリング無線ベアラ
ＣＵ          セントラル（集約）ユニット
ＤＵ          分散ユニット
ＬＴＥ        ロングタームエボリューション
ＮＲ          Ｎｅｗ  Ｒａｄｉｏ（新無線）
ＭＮ          マスタノード
ＭＣＧ        マスタセルグループ
ＳＮ          セカンダリノード
ＳＣＧ        セカンダリセルグループ
ＭＣ          マルチコネクティビティ
ＤＣ          デュアルコネクティビティ
ＭＲ−ＤＣ    マルチ無線デュアルコネクティビティ
ＮＲ＝ＤＣ    ＮＲ−ＮＲデュアルコネクティビティ
ｅＮＢ        進化型ノードＢ
ｇＮＢ        ＮＲノード
ＩＥ          情報要素
【０１０９】
引用は、本開示において言及される参照のために以下に提供される。
【０１１０】
引用文献[１]：ＴＳ ３８．３３１ Ｒｅｌ−１５
【０１１１】
引用文献[２]：ＴＳ ３８．１０４ ｖ１５．０２
【０１１２】
さらなる定義および実施形態を以下に説明する。
【０１１３】
本発明の概念の様々な実施形態の上記の説明では、本明細書で使用される用語が特定の実施形態を説明するためだけのものであり、本発明の概念を限定することを意図したものではないことを理解されたい。別段の定義がない限り、本明細書で使用されるすべての用語（技術用語および科学用語を含む）は、本発明の概念が属する技術分野の当業者によって一般に理解されるものと同じ意味を有する。一般的に使用される辞書で定義されているような用語は、本明細書および関連技術の文脈におけるそれらの意味と一致する意味を有すると解釈されるべきであり、本明細書で明確にそのように定義されていない限り、理想的な意味または過度に形式的な意味で解釈されることはない。
【０１１４】
ある要素が他の要素に「接続」、「結合」、「応答」、またはそれらの変形をしていると言われるとき、他の要素に直接接続、結合、または応答することができ、または介在要素が存在し得る。ある要素が他の要素に「接続」、「結合」、「応答」、またはそれらの変形をしていると言われるとき、他の要素に直接接続、結合、または応答することができ、または介在要素が存在し得る。全体を通して、同じ番号は同じ要素を指す。更に、本明細書で使用される「結合」、「接続」、「応答」、またはそれらの変形は、無線で結合、接続、または応答することを含み得る。本明細書で使用されるとき、単数形「a」、「an」および「the」は、文脈が明らかにそうでないことを示さない限り、複数形も含むことを意図している。簡潔さおよび／または明確さのために、よく知られている機能または構成は詳細に説明されないことがある。用語「および／または」は、関連する列挙された項目のうちの１つまたは複数のありとあらゆる組合せを含む。
【０１１５】
第１、第２、第３などの用語は様々な要素/動作を説明するために本明細書で使用され得るが、これらの要素/動作はこれらの用語によって限定されるべきではないことが理解されるのであろう。これらの用語は、１つの要素/動作を別の要素/動作と区別するためにのみ使用される。したがって、いくつかの実施形態における第１の要素/動作は、本発明の概念の教示から逸脱することなく、他の実施形態において第２の要素/動作と呼ぶことができる。同一の参照番号又は同一の参照記号は、明細書全体を通して同一又は類似の要素を示す。
【０１１６】
本明細書で使用されるとき、用語「含む（comprise）」、「含む（comprising）」、「含む（comprises）」、「含む（include）」、「含む（including）」、「含む（includes）」、「有する（have）」、「有する（has）」、「有する（having）」、またはそれらの変形は無制限である。そして、１つ以上の述べられた特徴、整数、要素、ステップ、構成要素または機能を含むが、それらの１つ以上の他の特徴、整数、要素、ステップ、構成要素、機能またはグループの存在または追加を排除しない。更に、本明細書で使用されるとき、ラテン語句「例示」から派生する共通の略語「例えば（e.g.）」は、前述の項目の一般的な例または複数の例を紹介または特定するために使用され得、そのようなアイテムを限定することを意図しない。ラテン語句「id est」から派生する一般的な略語「すなわち（i.e.）」は、より一般的な朗読から特定の項目を特定するために使用され得る。
【０１１７】
例示的実施形態は、コンピュータ実施方法、装置（システムおよび／またはデバイス）および／またはコンピュータプログラム製品のブロック図および／またはフローチャート図を参照して本明細書で説明される。ブロック図および／またはフローチャート図のブロック、ならびにブロック図および／またはフローチャート図内のブロックの組み合わせは、１つまたは複数のコンピュータ回路によって実行されるコンピュータプログラム命令によって実装できることを理解されたい。これらのコンピュータプログラム命令は、汎用コンピュータ回路、特殊用途コンピュータ回路、および／または他のプログラム可能なデータ処理回路のプロセッサ回路に提供されて、コンピュータおよび／または他のプログラム可能なデータ処理装置、変換および制御トランジスタ、メモリ位置に格納された値、ならびにブロック図および／またはフローチャートブロックで指定される機能／動作を実施するためのそのような回路内の他のハードウェアコンポーネントを介して実行される命令が実行され、それにより、ブロック図および／またはフローチャートブロックにおいて指定された機能／動作を実施するための手段（機能）および／または構造を作成するようにすることができる。
【０１１８】
これらのコンピュータプログラム命令は、コンピュータまたは他のプログラム可能なデータ処理装置を特定の方法で機能させることができる有形のコンピュータ可読媒体に格納することもでき、その結果、コンピュータ可読媒体に格納された命令は、ブロック図および／またはフローチャートブロックまたは複数のブロックで指定された機能／動作を実施する命令を含む製品を製造する。したがって、本発明の概念の実施形態はデジタルシグナルプロセッサなどのプロセッサ上で実行されるハードウェアおよび/またはソフトウェア（ファームウェア、常駐ソフトウェア、マイクロコードなどを含む）で実施することができ、これらは集合的に「回路」、「モジュール」またはそれらの変形と呼ばれることがある。
【０１１９】
また、いくつかの代替の実施形態では、ブロックに示されている機能／動作は、フローチャートに示されている順序とは異なる順序で行われてもよいことに留意されたい。例えば、関連する機能／動作に応じて、連続して示されている２つのブロックが実際には実質的に同時に実行されてもよく、あるいはブロックが時には逆の順序で実行されてもよい。更に、フローチャートおよび／またはブロック図の所与のブロックの機能は複数のブロックに分離されてもよく、および／またはフローチャートおよび／またはブロック図の２つ以上のブロックの機能は少なくとも部分的に統合されてもよい。最後に、本発明の概念の範囲から逸脱することなく、図示されるブロック間に他のブロックを追加/挿入することができ、および/またはブロック/動作を省略することができる。さらに、いくつかの図は、通信の主方向を示すために通信経路上に矢印を含むが、通信は、描かれた矢印と反対方向に起こり得ることを理解されたい。
【０１２０】
本発明の概念の原理から実質的に逸脱することなく、実施形態に対して多くの変形および修正を行うことができる。全てのそのような変形及び修正は、本発明の概念の範囲内に含まれることが意図される。したがって、上記で開示された主題は例示的であり、限定的ではないと考えられるべきであり、実施形態の例は、本発明の概念の精神および範囲内にある、すべてのそのような修正、強化、および他の実施形態を包含することが意図される。したがって、本発明の概念の範囲は法律によって許容される最大限まで、実施形態の例およびその均等物を含む本開示の最も広い許容可能な解釈によって決定されるべきであり、前述の詳細な説明によって限定または限定されるべきではない。
【０１２１】
以下、追加の説明を行う。
【０１２２】
一般に、本明細書で使用されるすべての用語は異なる意味が明確に与えられ、かつ/またはそれが使用される文脈から暗示されない限り、関連する技術分野におけるそれらの通常の意味に従って解釈されるべきである。a/an/the要素、装置、コンポーネント、手段、ステップなどへの言及はすべて、特に明記しない限り、要素、装置、コンポーネント、手段、ステップなどの少なくとも1つのインスタンスを指すものとして開放的に解釈されるべきである。本明細書に開示される任意の方法のステップはステップが別のステップの後または前として明示的に記載されていない限り、および/またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【０１２３】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。
【０１２４】
図１０：いくつかの実施形態による無線ネットワーク。
【０１２５】
本明細書で説明される主題は任意の好適な構成要素を使用して任意の適切な種類のシステムで実装され得るが、本明細書で開示される実施形態は、図１０に示される例示的な無線ネットワークなどの無線ネットワークに関して説明される。簡単にするために、図１０の無線ネットワークはネットワークＱＱ１０６、ネットワークノードＱＱ１６０およびＱＱ１６０ｂ、ならびにＷＤ ＱＱ１１０、ＱＱ１１０ｂ、およびＱＱ１１０ｃ（モバイル端末とも呼ばれる）のみを示す。実際には、無線ネットワークは、無線デバイス間の通信、または無線デバイスと、陸線電話、サービスプロバイダ、または任意の他のネットワークノードもしくはエンドデバイスなどの別の通信デバイスとの間の通信をサポートするのに適した任意の追加の要素をさらに含むことができる。図示された構成要素のうち、ネットワークノードＱＱ１６０および無線デバイス（ＷＤ）ＱＱ１１０が、さらなる詳細とともに示される。無線ネットワークは、無線ネットワークによって、または無線ネットワークを介して提供されるサービスへの無線デバイスのアクセスおよび/またはそのサービスの使用を容易にするために、１つまたは複数の無線デバイスに通信および他のタイプのサービスを提供することができる。
【０１２６】
無線ネットワークは、任意のタイプの通信、電気通信、データ、セルラ、および/または無線ネットワーク、または他の同様のタイプのシステムを備え、かつ/またはそれらと結合させることができる。いくつかの実施形態では、無線ネットワークが特定の規格または他のタイプの事前定義された規則または手順に従って動作するように構成され得る。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および/または他の適切な２Ｇ、３Ｇ、４Ｇ、または５Ｇ標準規格などの通信標準規格、ＩＥＥＥ ８０２．１１標準規格などの無線ローカルエリアネットワーク（ＷＬＡＮ）標準規格、および/またはＷｉＭａｘ（Worldwide Interoperability for Microwave Access）、Ｂｌｕｅｔｏｏｔｈ、Ｚ−Ｗａｖｅ、および/またはＺｉｇＢｅｅ標準規格などの任意の他の適切な無線通信標準規格を実装することができる。
【０１２７】
ネットワークＱＱ１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備えることができる。
【０１２８】
ネットワークノードＱＱ１６０およびＷＤ ＱＱ１１０は、以下でより詳細に説明する様々な構成要素を備える。これらの構成要素は、無線ネットワークにおける無線接続を提供するなど、ネットワークノードおよび/または無線デバイスの機能を提供するために協働する。異なる実施形態では無線ネットワークが任意の数の有線または無線ネットワーク、ネットワークノード、基地局、コントローラ、無線デバイス、中継局、および/または有線または無線接続を介するかどうかにかかわらず、データおよび/または信号の通信を容易にするかまたは参加することができる任意の他の構成要素またはシステムを備えることができる。
【０１２９】
本明細書で使用されるように、ネットワークノードは、無線デバイスへの無線アクセスを可能にし、および/または無線デバイスへの無線アクセスを提供し、および/または無線ネットワーク内の他の機能（たとえば、管理）を実行するために、無線デバイスと、および/または無線ネットワーク内の他のネットワークノードまたは機器と直接的または間接的に通信することが可能であり、構成され、配置され、かつ/または動作可能な機器を指す。ネットワークノードの例はアクセスポイント（ＡＰ）（例えば、無線アクセスポイント）、基地局（ＢＳ）（例えば、無線基地局、ノードＢ、進化型ノードＢ（ｅＮＢ）およびＮＲノードＢ（ｇＮＢ））を含むが、これらに限定されない。基地局はそれらが提供する（または別の言い方をすれば、それらの送信電力レベル）カバレージの量に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび/または遠隔無線ユニット（ＲＲＵ）（遠隔無線ヘッド（ＲＲＨ）と呼ばれることもある）などの分散型無線基地局の１つまたは複数の（またはすべての）部分を含むこともできる。このような遠隔無線ユニットはアンテナ一体型無線機としてアンテナと一体化されていてもよいし、されていなくてもよい。分散無線基地局の一部は、分散アンテナシステム（ＤＡＳ）におけるノードと呼ばれることもある。ネットワークノードのさらに別の例はＭＳＲ ＢＳなどのマルチスタンダード無線（ＭＳＲ）機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル/マルチキャスト調整エンティティ（ＭＣＥ）、コアネットワークノード（例えば、ＭＳＣ、ＭＭＥ）、Ｏ&Ｍノード、ＯＳＳノード、ＳＯＮノード、測位ノード（例えば、Ｅ−ＳＭＬＣ）、および/またはＭＤＴを含む。別の例として、ネットワークノードは、以下でより詳細に説明するような仮想ネットワークノードであってもよい。しかしながら、より一般的には、ネットワークノードが無線デバイスに無線ネットワークへのアクセスを可能にする、および/または提供する、あるいは無線ネットワークにアクセスした無線デバイスに何らかのサービスを提供することが可能な、構成された、配置された、および/または動作可能な、任意の適切なデバイス（またはデバイスのグループ）を表し得る。
【０１３０】
図１０において、ネットワークノードＱＱ１６０は、処理回路ＱＱ１７０、デバイス読み取り可能媒体ＱＱ１８０、インターフェースＱＱ１９０、補助装置ＱＱ１８４、電源ＱＱ１８６、電力回路ＱＱ１８７、およびアンテナＱＱ１６２を含む。図１０の例示的な無線ネットワークに示されたネットワークノードＱＱ１６０は、ハードウェアコンポーネントの図示された組合せを含むデバイスを表すことができるが、他の実施形態はコンポーネントの異なる組合せを有するネットワークノードを備えることができる。ネットワークノードは、本明細書で開示されるタスク、特徴、機能、および方法を実行するために必要とされるハードウェアおよび/またはソフトウェアの任意の適切な組合せを備えることを理解されたい。さらに、ネットワークノードＱＱ１６０のコンポーネントはより大きなボックス内に配置された単一のボックスとして示されているか、または複数のボックス内にネストされているが、実際にはネットワークノードが単一の例示されたコンポーネントを構成する複数の異なる物理コンポーネントを備えることができる（たとえば、デバイス可読媒体ＱＱ１８０は複数の別個のハードドライブならびに複数のＲＡＭモジュールを備えることができる）。
【０１３１】
同様に、ネットワークノードＱＱ１６０は複数の物理的に別個のコンポーネント（例えば、ノードＢコンポーネントおよびＲＮＣコンポーネント、またはＢＴＳコンポーネントおよびＢＳＣコンポーネントなど）から構成されてもよく、それらはそれぞれ、それら自体のそれぞれのコンポーネントを有する可能性がある。ネットワークノードＱＱ１６０が複数の別個の構成要素（例えば、ＢＴＳおよびＢＳＣ構成要素）を備える特定のシナリオでは、別個の構成要素のうちの１つまたは複数がいくつかのネットワークノード間で共有され得る。例えば、単一のＲＮＣは、複数のノードＢを制御することができる。このようなシナリオでは、それぞれの一意のＮｏｄｅＢとＲＮＣのペアが場合によっては単一の個別のネットワークノードと見なされることがある。いくつかの実施形態では、ネットワークノードＱＱ１６０が複数の無線アクセス技術（ＲＡＴ）をサポートするように構成され得る。そのような実施形態では、いくつかのコンポーネントが複製されてもよく（例えば、異なるＲＡＴのための別個のデバイス可読媒体ＱＱ１８０）、いくつかのコンポーネントは再使用されてもよい（例えば、同じアンテナＱＱ１６２はＲＡＴによって共有されてもよい）。また、ネットワークノードＱＱ１６０は、例えば、ＧＳＭ、ＷＣＤＭＡ（登録商標）、ＬＴＥ、ＮＲ、ＷｉＦｉまたはＢｌｕｅｔｏｏｔｈ無線技術のような、ネットワークノードＱＱ１６０に統合される異なる無線技術のための各種説明された構成要素の複数設定を含むことができる。これらの無線技術は、ネットワークノードＱＱ１６０内の同じまたは異なるチップまたはチップの設定および他のコンポーネントに統合され得る。
【０１３２】
処理回路ＱＱ１７０は、ネットワークノードによって提供されるものとして本明細書で説明される任意の決定、計算、または類似の動作（例えば、ある取得動作）を実行するように構成される。処理回路ＱＱ１７０によって実行されるこれらの動作は、例えば、取得された情報を他の情報に変換すること、取得された情報または変換された情報をネットワークノードに格納された情報と比較すること、および/または取得された情報または変換された情報に基づいて１つまたは複数の動作を実行すること、および前記処理の結果として決定を行うことによって、回路ＱＱ１７０を処理することによって取得された情報を処理することを含み得る。
【０１３３】
処理回路ＱＱ１７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、またはハードウェア、ソフトウェア、および/または符号化ロジックの組合せのうちの１つまたは複数の組合せを備えることができ、これらは、単独で、またはデバイス可読媒体ＱＱ１８０、ネットワークノードＱＱ１６０機能などの他のネットワークノードＱＱ１６０構成要素と併せてのいずれかで提供するように動作可能である。例えば、処理回路ＱＱ１７０は、デバイス可読媒体ＱＱ１８０または処理回路ＱＱ１７０内のメモリに格納された命令を実行することができる。そのような機能は、本明細書で説明される各種無線特徴、機能、または利益のいずれかを提供することを含むことができる。一部の実施形態において、処理回路ＱＱ１７０は、チップ（ＳＯＣ）上のシステムを含むことができる。
【０１３４】
いくつかの実施形態では、処理回路ＱＱ１７０は、無線周波数（ＲＦ）トランシーバ回路ＱＱ１７２およびベースバンド処理回路ＱＱ１７４のうちの１つまたは複数を含むことができる。いくつかの実施形態では、無線周波数（ＲＦ）トランシーバ回路ＱＱ１７２およびベースバンド処理回路ＱＱ１７４が別個のチップ（またはチップの設定）、ボード、または無線ユニットおよびデジタルユニットなどのユニット上にあってもよい。代替の実施形態では、ＲＦトランシーバ回路ＱＱ１７２およびベースバンド処理回路ＱＱ１７４の一部または全部が同じチップまたはチップ、ボード、またはユニットの設定上にあってもよい。
【０１３５】
特定の実施形態では、ネットワークノード、基地局、ｅＮＢ、またはその他のネットワーク装置によって提供されるように説明される機能の一部または全部がデバイス読み取り可能な媒体ＱＱ１８０上に記憶される、または処理回路ＱＱ１７０内のメモリに記憶される命令を実行するために、回路ＱＱ１７０を処理することによって実行されることができる。代替の実施形態では、機能のいくつかまたはすべてはハードワイヤード方式などで、別個のまたは個別のデバイス可読媒体上に格納された命令を実行することなく、処理回路ＱＱ１７０によって提供され得る。これらの実施形態のいずれにおいても、装置可読記憶媒体上に記憶された命令を実行するか否かにかかわらず、処理回路ＱＱ１７０は、説明された機能を実行するように構成され得る。そのような機能性によって提供される利点は処理回路ＱＱ１７０のみ、またはネットワークノードＱＱ１６０の他の構成要素に限定されず、ネットワークノードＱＱ１６０全体によって、および/またはエンドユーザおよび無線ネットワーク全体によって享受される。
【０１３６】
デバイス可読媒体ＱＱ１８０は、永続記憶装置、ソリッドステートメモリ、遠隔装着メモリ、磁気媒体、光学媒体、ランダムアクセスメモリ（ＲＡＭ）、読み出し専用メモリ（ＲＯＭ）、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および/または処理回路ＱＱ１７０によって使用され得る情報、データ、および/または指示を記憶する任意の他の揮発性または不揮発性、不揮発性のデバイス可読および/またはコンピュータ実行可能メモリデバイスを含むが、これらに限定されない、揮発性または不揮発性のコンピュータ可読メモリの任意の形態を含み得る。デバイス可読媒体ＱＱ１８０は、コンピュータプログラム、ソフトウェア、論理、ルール、コード、テーブルなどのうちの１つまたは複数を含むアプリケーション、および/または処理回路ＱＱ１７０によって実行され、ネットワークノードＱＱ１６０によって利用されることが可能な他の命令を含む、任意の適切な命令、データ、または情報を格納することができる。デバイス可読媒体ＱＱ１８０は、処理回路ＱＱ１７０によって行われた任意の計算、および/またはインターフェースＱＱ１９０を介して受信された任意のデータを格納するために使用され得る。いくつかの実施形態では、処理回路ＱＱ１７０およびデバイス可読媒体ＱＱ１８０が一体化されていると考えることができる。
【０１３７】
インターフェースＱＱ１９０は、ネットワークノードＱＱ１６０、ネットワークＱＱ１０６、および/またはＷＤ ＱＱ１１０間のシグナリングおよび/またはデータの有線または無線通信に使用される。図示のように、インターフェースＱＱ１９０は、例えば有線接続を介してネットワークＱＱ１０６との間でデータを送受信するためのポート/端子ＱＱ１９４を備える。インターフェースＱＱ１９０はまた、アンテナＱＱ１６２に結合され得る、または、ある実施形態ではアンテナＱＱ１６２の一部に結合され得る、無線フロントエンド回路ＱＱ１９２を含む。無線フロントエンド回路ＱＱ１９２は、フィルタＱＱ１９８および増幅器ＱＱ１９６を含む。無線フロントエンド回路ＱＱ１９２は、アンテナＱＱ１６２および処理回路ＱＱ１７０に接続され得る。無線フロントエンド回路は、アンテナＱＱ１６２と処理回路ＱＱ１７０との間で通信される信号を調整するように構成され得る。無線フロントエンド回路ＱＱ１９２は、無線接続を介して他のネットワークノードまたはＷＤに送出されるデジタルデータを受信することができる。無線フロントエンド回路ＱＱ１９２は、フィルタＱＱ１９８および/または増幅器ＱＱ１９６の組合せを使用して、デジタルデータを適切なチャネルおよび帯域幅パラメータを有する無線信号に変換することができる。次いで、無線信号は、アンテナＱＱ１６２を介して送信され得る。同様に、データを受信するとき、アンテナＱＱ１６２は、無線フロントエンド回路ＱＱ１９２によってデジタルデータに変換される無線信号を収集することができる。デジタルデータは、処理回路ＱＱ１７０に渡されてもよい。他の実施形態では、インターフェースが異なる構成要素および/または構成要素の異なる組合せを含むことができる。
【０１３８】
ある代替実施形態では、ネットワークノードＱＱ１６０が別個の無線フロントエンド回路ＱＱ１９２を含まなくてもよく、その代わりに、処理回路ＱＱ１７０は無線フロントエンド回路を含んでもよく、別個の無線フロントエンド回路ＱＱ１９２なしでアンテナＱＱ１６２に接続されてもよい。同様に、いくつかの実施形態では、ＲＦトランシーバ回路ＱＱ１７２のすべてまたはいくつかはインターフェースＱＱ１９０の一部と見なされ得る。さらに他の実施形態ではインターフェースＱＱ１９０が無線ユニット（図示せず）の一部として、１つまたは複数のポートまたは端子ＱＱ１９４、無線フロントエンド回路ＱＱ１９２、およびＲＦトランシーバ回路ＱＱ１７２を含むことができ、インターフェースＱＱ１９０はデジタルユニット（図示せず）の一部であるベースバンド処理回路ＱＱ１７４と通信することができる。
【０１３９】
アンテナＱＱ１６２は、無線信号を送信および/または受信するように構成された１つまたは複数のアンテナ、またはアンテナアレイを含み得る。アンテナＱＱ１６２は無線フロントエンド回路ＱＱ１９０に結合することができ、データおよび/または信号を無線で送受信することができる任意のタイプのアンテナとすることができる。いくつかの実施形態では、アンテナＱＱ１６２が例えば、２ＧＨzと６６ＧＨzとの間で無線信号を送信/受信するように動作可能な１つまたは複数の全方向性セクタまたはパネルアンテナを備えることができる。無指向性アンテナは任意の方向に無線信号を送信/受信するために使用されてもよく、セクタアンテナは特定のエリア内のデバイスから無線信号を送信/受信するために使用されてもよく、パネルアンテナは比較的直線で無線信号を送信/受信するために使用される見通し線（ｌｉｎｅ  ｏｆ  ｓｉｇｈｔ）アンテナであってもよい。いくつかの例では、２つ以上のアンテナの使用がＭＩＭＯと呼ばれ得る。いくつかの実施形態では、アンテナＱＱ１６２がネットワークノードＱＱ１６０とは別個であってもよく、インターフェースまたはポートを介してネットワークノードＱＱ１６０に接続可能であってもよい。
【０１４０】
アンテナＱＱ１６２、インターフェースＱＱ１９０、および/または処理回路ＱＱ１７０は、ネットワークノードによって実行されるものとして本明細書で説明される任意の受信動作および/または特定の取得動作を実行するように構成され得る。任意の情報、データ、および/または信号は、無線デバイス、別のネットワークノード、および/または任意の他のネットワーク機器から受信され得る。同様に、アンテナＱＱ１６２、インターフェースＱＱ１９０、および/または処理回路ＱＱ１７０は、ネットワークノードによって実行されるものとして本明細書で説明される任意の送信動作を実行するように構成され得る。任意の情報、データ、および/または信号は、無線デバイス、別のネットワークノード、および/または任意の他のネットワーク機器に送信され得る。
【０１４１】
電力回路ＱＱ１８７は、電力管理回路を備えてもよく、または電力管理回路に結合されてもよく、本明細書で説明される機能を実行するための電力をネットワークノードＱＱ１６０の構成要素に供給するように構成される。電力回路ＱＱ１８７は、電源ＱＱ１８６から電力を受け取ることができる。電源ＱＱ１８６及び/又は電力回路ＱＱ１８７はそれぞれの構成要素に適した形式でネットワークノードＱＱ１６０の様々な構成要素に電源を提供するように構成されてもよい（例えば、各構成要素に必要な圧及び現在のレベルで）。電源ＱＱ１８６は電力回路ＱＱ１８７及び/又はネットワークノードＱＱ１６０に含まれるか、又は外部から構成されてもよい。例えば、ネットワークノードＱＱ１６０は電気ケーブルなどの入力回路またはインターフェースを介して外部電源（例えば、電気コンセント）に接続可能であり得、それによって、外部電源は、電力回路ＱＱ１８７に電力を供給する。さらなる例として、電源ＱＱ１８６は、電力回路ＱＱ１８７に接続されるか、または電力回路ＱＱ１８７に統合される、バッテリまたはバッテリパックの形態の電源を備えてもよい。バッテリは、外部電源が故障した場合にバックアップ電力を供給することができる。光起電装置のような他のタイプの電源も使用することができる。
【０１４２】
ネットワークノードＱＱ１６０の代替の実施形態は、本明細書で説明される機能のいずれか、および/または本明細書で説明される主題をサポートするために必要な任意の機能を含む、ネットワークノードの機能のある態様を提供することを担うことができる、図１０に示されるものを超える追加の構成要素を含むことができる。例えば、ネットワークノードＱＱ１６０はネットワークノードＱＱ１６０への情報の入力を可能にし、ネットワークノードＱＱ１６０からの情報の出力を可能にするユーザインターフェース装置を含むことができる。これにより、ユーザは、ネットワークノードＱＱ１６０の診断、保守、修理、および他の管理機能を実行することができる。
【０１４３】
本明細書で使用されるように、無線デバイス（ＷＤ）は、ネットワークノードおよび/または他の無線デバイスと無線に通信することができる、構成される、配置される、および/または動作可能なデバイスを指す。特に断らない限り、用語ＷＤは、本明細書ではユーザ装置（ＵＥ）と互換的に使用され得る。無線通信は、電磁波、電波、赤外線、および/またはエアを介して情報を伝達するのに適した他のタイプの信号を使用して、無線信号を送信および/または受信することを伴ってもよい。いくつかの実施形態では、ＷＤが直接的な人間の対話なしに情報を送信および/または受信するように構成され得る。例えば、ＷＤは内部イベントまたは外部イベントによってトリガされたとき、またはネットワークからの要求に応答して、所定のスケジュールでネットワークに情報を送信するように設計され得る。ＷＤの例としてはスマートフォン、携帯電話、携帯電話、ボイスオーバーＩＰ電話、無線ローカルループ電話、デスクトップコンピュータ、パーソナルデジタルアシスタント（ＰＤＡ）、無線カメラ、ゲームコンソールまたはデバイス、音楽ストレージデバイス、再生アプライアンス、ウェアラブル端末デバイス、無線エンドポイント、移動局、タブレット、ラップトップ、ラップトップ組み込み機器（ＬＥＥ）、ラップトップ搭載機器（ＬＭＥ）、スマートデバイス、無線顧客宅内機器（ＣＰＥ）、車載無線端末機器等があるが、これらに限定されない。ＷＤは例えば、サイドリンク通信、車車間（Ｖ２Ｖ）、車間インフラストラクチャ（Ｖ２Ｉ）、車間（Ｖ２Ｘ）のための３ＧＰＰ標準を実装することによって、デバイス間（Ｄ２Ｄ）通信をサポートすることができ、この場合、Ｄ２Ｄ通信デバイスと呼ばれることがある。さらに別の特定の例として、ＩｏＴ（Internet of Things（モノのインターネット））シナリオでは、ＷＤが監視および/または測定を実行し、そのような監視および/または測定の結果を別のＷＤおよび/またはネットワークノードに送信する機械または他のデバイスを表すことができる。この場合、ＷＤはマシンツーマシン（Ｍ２Ｍ）装置であってもよく、３ＧＰＰコンテキストではＭＴＣ装置と呼ばれてもよい。具体例として、ＷＤは３ＧＰＰの狭帯域ＩＮＴＥＲＮＥＴ ＯＦ ＴＨＩＮＧＳ（ＮＢ−ＩｏＴ）規格を実行するＵＥかもしれない。そのような機械または装置の特定の例はセンサ、電力計、産業機械などの計量装置、または家庭用もしくは個人用機器（例えば、冷蔵庫、テレビなど）、個人用ウェアラブル（例えば、時計、フィットネストラッカなど）である。他のシナリオでは、ＷＤがその動作状態またはその動作に関連する他の機能を監視および/または報告することができる車両または他の機器を表すことができる。上述のＷＤは無線接続のエンドポイントを表すことができ、この場合、装置は、無線端末と呼ばれることができる。さらに、上述したようなＷＤは、モバイルであってもよく、その場合、モバイルデバイスまたはモバイル端末とも呼ばれてもよい。
【０１４４】
図示のように、無線デバイスＱＱ１１０は、アンテナＱＱ１１１、インターフェースＱＱ１１４、処理回路ＱＱ１２０、デバイス可読媒体ＱＱ１３０、ユーザインターフェース装置ＱＱ１３２、補助機器ＱＱ１３４、電源ＱＱ１３６、および電力回路ＱＱ１３７を含む。ＷＤ ＱＱ１１０は例えば、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、ＷＤ ＱＱ１１０によってサポートされる異なる無線技術のために、図示されている構成要素のうちの１つ以上の複数設定を含んでもよい。これらの無線技術は、ＷＤ ＱＱ１１０内の他のコンポーネントと同じまたは異なるチップまたはチップの設定に統合され得る。
【０１４５】
アンテナＱＱ１１１は、無線信号を送信および/または受信するように構成された１つまたは複数のアンテナまたはアンテナアレイを含むことができ、インターフェースＱＱ１１４に接続される。特定の代替実施形態では、アンテナＱＱ１１１がＷＤ ＱＱ１１０とは別個であってもよく、インターフェースまたはポートを介してＷＤ ＱＱ１１０に接続可能であってもよい。アンテナＱＱ１１１、インターフェースＱＱ１１４、および/または処理回路ＱＱ１２０は、ＷＤによって実行されるものとして本明細書で説明される任意の受信動作または送信動作を実行するように構成され得る。任意の情報、データ、および/または信号が、ネットワークノードおよび/または別のＷＤから受信され得る。いくつかの実施形態では、無線フロントエンド回路および/またはアンテナＱＱ１１１がインターフェースと見なされてもよい。
【０１４６】
図示のように、インターフェースＱＱ１１４は、無線フロントエンド回路ＱＱ１１２およびアンテナＱＱ１１１を含む。無線フロントエンド回路ＱＱ１１２は、１つまたは複数のフィルタＱＱ１１８および増幅器ＱＱ１１６を備える。無線フロントエンド回路Ｑ１１４は、アンテナＱＱ１１１および処理回路ＱＱ１２０に接続され、アンテナＱＱ１１１と処理回路ＱＱ１２０との間で通信される信号を調整するように構成される。無線フロントエンド回路ＱＱ１１２は、アンテナＱＱ１１１に結合されてもよいし、その一部であってもよい。いくつかの実施形態では、ＷＤ ＱＱ１１０が別個の無線フロントエンド回路ＱＱ１１２を含まなくてもよく、むしろ、処理回路ＱＱ１２０は無線フロントエンド回路を含んでもよく、アンテナＱＱ１１１に接続されてもよい。同様に、いくつかの実施形態では、ＲＦトランシーバ回路ＱＱ１２２のいくつかまたはすべてはインターフェースＱＱ１１４の一部と見なされてもよい。無線フロントエンド回路ＱＱ１１２は、無線接続を介して他のネットワークノードまたはＷＤに送出されるデジタルデータを受信することができる。無線フロントエンド回路ＱＱ１１２は、フィルタＱＱ１１８および/または増幅器ＱＱ１１６の組合せを使用して、デジタルデータを適切なチャネルおよび帯域幅パラメータを有する無線信号に変換することができる。次いで、無線信号は、アンテナＱＱ１１１を介して送信され得る。同様に、データを受信するとき、アンテナＱＱ１１１は、無線フロントエンド回路ＱＱ１１２によってデジタルデータに変換される無線信号を収集することができる。デジタルデータは、処理回路ＱＱ１２０に渡されてもよい。他の実施形態では、インターフェースが異なる構成要素および/または構成要素の異なる組合せを含むことができる。
【０１４７】
処理回路ＱＱ１２０はマイクロプロセッサ、コントローラ、マイクロコントローラ、中央処理ユニット、デジタル信号プロセッサ、特定用途向け集積回路、フィールドプログラマブルゲートアレイ、または任意の他の適切な計算デバイス、リソース、またはハードウェア、ソフトウェア、および/またはエンコードされた論理の組み合わせのうちの１つまたは複数の組み合わせを含んでもよく、これらの組み合わせは単独で、またはデバイス可読媒体ＱＱ１３０、ＷＤ ＱＱ１１０機能などの他のＷＤ ＱＱ１１０構成要素と併せて、提供するように動作可能である。そのような機能は、本明細書で説明される各種無線特徴または利点のいずれかを提供することを含むことができる。例えば、処理回路ＱＱ１２０は、デバイス可読媒体ＱＱ１３０または処理回路ＱＱ１２０内のメモリに格納された命令を実行して、本明細書で開示される機能を提供することができる。
【０１４８】
図示のように、処理回路ＱＱ１２０は、ＲＦトランシーバ回路ＱＱ１２２、ベースバンド処理回路ＱＱ１２４、およびアプリケーション処理回路ＱＱ１２６のうちの１つまたは複数を含む。他の実施形態では、処理回路が異なる構成要素及び/又は構成要素の異なる組み合わせを含むことができる。いくつかの実施形態では、ＷＤ ＱＱ１１０の処理回路ＱＱ１２０がＳＯＣを備えることができる。いくつかの実施形態では、ＲＦトランシーバ回路ＱＱ１２２、ベースバンド処理回路ＱＱ１２４、およびアプリケーション処理回路ＱＱ１２６は別個のチップまたはチップの設定上にあってもよい。代替実施形態では、ベースバンド処理回路ＱＱ１２４およびアプリケーション処理回路ＱＱ１２６の一部または全部が１つのチップまたはチップの設定に結合されてもよく、ＲＦトランシーバ回路ＱＱ１２２は別個のチップまたはチップの設定上にあってもよい。さらに別の実施形態では、ＲＦトランシーバ回路ＱＱ１２２およびベースバンド処理回路ＱＱ１２４の一部または全部が同じチップまたはチップの設定上にあってもよく、アプリケーション処理回路ＱＱ１２６は別個のチップまたはチップの設定上にあってもよい。さらに他の代替実施形態では、ＲＦトランシーバ回路ＱＱ１２２、ベースバンド処理回路ＱＱ１２４、およびアプリケーション処理回路ＱＱ１２６の一部または全部を、同じチップまたはチップの設定に組み合わせることができる。いくつかの実施形態では、ＲＦトランシーバ回路ＱＱ１２２がインターフェースＱＱ１１４の一部であってもよい。ＲＦトランシーバ回路ＱＱ１２２は、処理回路ＱＱ１２０のためのＲＦ信号を調整することができる。
【０１４９】
特定の実施形態では、ＷＤによって実行されるものとして本明細書で説明される機能の一部またはすべては特定の実施形態ではコンピュータ可読記憶媒体とすることができるデバイス可読媒体ＱＱ１３０上に記憶された命令を実行する処理回路ＱＱ１２０によって提供することができる。代替の実施形態では、機能のいくつかまたはすべてはハードワイヤード方式などで、別個のまたは個別のデバイス可読記憶媒体上に格納された命令を実行することなく、処理回路ＱＱ１２０によって提供され得る。これらの特定の実施形態のいずれにおいても、装置可読記憶媒体上に記憶された命令を実行するか否かにかかわらず、処理回路ＱＱ１２０は、説明された機能を実行するように構成され得る。そのような機能性によって提供される利点は、処理回路ＱＱ１２０のみ、またはＷＤ ＱＱ１１０の他の構成要素に限定されず、ＷＤ ＱＱ１１０全体によって、および/またはエンドユーザおよび無線ネットワーク全体によって享受される。
【０１５０】
処理回路ＱＱ１２０は、ＷＤによって実行されるものとして本明細書で説明される任意の決定、計算、または類似の動作（たとえば、ある取得動作）を実行するように構成され得る。これらの動作は、処理回路ＱＱ１２０によって実行されるように、例えば、取得された情報を他の情報に変換することによって、処理回路ＱＱ１２０によって取得された情報を処理することと、取得された情報または変換された情報をＷＤ ＱＱ１１０によって格納された情報と比較することと、および/または、取得された情報または変換された情報に基づいて、および、前記処理の結果として、１つ以上の動作を実行することとを含んでもよい。
【０１５１】
デバイス可読媒体ＱＱ１３０は、コンピュータプログラム、ソフトウェア、論理、ルール、コード、テーブルなどのうちの１つまたは複数を含むアプリケーション、および/または処理回路ＱＱ１２０によって実行されることが可能な他の命令を格納するように動作可能であり得る。デバイス可読媒体ＱＱ１３０は、コンピュータメモリ（例えば、ランダムアクセスメモリ（ＲＡＭ）またはリードオンリメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および/または、処理回路ＱＱ１２０によって使用され得る情報、データ、および/または指示を記憶する任意の他の揮発性または不揮発性の不揮発性デバイス可読および/またはコンピュータ実行可能メモリデバイスを含み得る。いくつかの実施形態では、処理回路ＱＱ１２０およびデバイス可読媒体ＱＱ１３０が一体化されていると考えることができる。ユーザインターフェース装置ＱＱ１３２は、人間のユーザがＷＤ ＱＱ１１０と相互作用することを可能にするコンポーネントを提供することができる。このような相互作用は、視覚的、聴覚的、触覚的などの多くの形態であり得る。ユーザインターフェース装置ＱＱ１３２はユーザに出力を生成し、ユーザがＷＤ ＱＱ１１０に入力を提供することを可能にするように動作可能であり得る。wireless customer-premise equipmentのタイプは、ＷＤ ＱＱ１１０にインストールされたユーザインターフェース装置ＱＱ１３２のタイプに応じて変わり得る。例えば、ＷＤ ＱＱ１１０がスマートフォンである場合、相互作用はタッチスクリーンを介してもよい。ＷＤ ＱＱ１１０がスマートメーターである場合、相互作用は使用を提供するスクリーン（例えば、使用されるガロン数）を介してもよいし、音声アラートを提供するスピーカー（例えば、煙が検出された場合）を介してもよい。ユーザインターフェース装置ＱＱ１３２は、入力インターフェース、装置および回路、ならびに出力インターフェース、装置および回路を含み得る。ユーザインターフェース装置ＱＱ１３２は、ＷＤ ＱＱ１１０への情報の入力を可能にするように構成され、処理回路Ｑ１２０が入力情報を処理することを可能にするように処理回路ＱＱ１２０に接続される。ユーザインターフェース装置ＱＱ１３２は、例えば、マイクロフォン、近接または他のセンサ、キー/ボタン、タッチディスプレイ、１つまたは複数のカメラ、ＵＳＢポート、または他の入力回路を含むことができる。ユーザインターフェース装置ＱＱ１３２はまた、ＷＤ ＱＱ１１０からの情報の出力を可能にし、処理回路ＱＱ１２０がＷＤ ＱＱ１１０から情報を出力することを可能にするように構成される。ユーザインターフェース装置ＱＱ１３２は例えば、スピーカ、ディスプレイ、振動回路、ＵＳＢポート、ヘッドホンインターフェース、または他の出力回路を含み得る。ユーザインターフェース装置ＱＱ１３２の１つまたは複数の入出力インターフェース、装置、および回路を使用して、ＷＤ ＱＱ１１０はエンドユーザおよび/または無線ネットワークと通信することができ、本明細書で説明する機能性からの利益をエンドユーザおよび/または無線ネットワークに与えることができる。
【０１５２】
補助装置ＱＱ１３４は、一般にＷＤによって実行されない可能性があるより特定機能を提供するように動作可能である。これは、様々な目的のために測定を行うための専用センサ、有線通信などの追加のタイプの通信のためのインターフェースを含むことができる。補助装置ＱＱ１３４の構成要素の含有及び種類は、実施例及び/又はシナリオに応じて変わり得る。
【０１５３】
電源ＱＱ１３６は、いくつかの実施形態ではバッテリまたはバッテリパックの形態であってもよい。外部電源（例えば、電気コンセント）、光起電力デバイス、またはパワーセルなどの他のタイプの電源も使用することができる。ＷＤ ＱＱ１１０は、電源ＱＱ１３６からの電力を、本明細書に記載または示される任意の機能を実行するために電源ＱＱ１３６からの電力を必要とするＷＤ ＱＱ１１０の様々な部分に送達するための電力回路ＱＱ１３７をさらに含んでもよい。電力回路ＱＱ１３７は、いくつかの実施形態では電力管理回路を備えることができる。電力回路ＱＱ１３７は、追加的にまたは代替的に、外部電源から電力を受け取るように動作可能であってもよく、その場合、ＷＤ ＱＱ１１０は、入力回路または電力ケーブルなどのインターフェースを介して外部電源（電気コンセントなど）に接続可能であってもよい。電力回路ＱＱ１３７はまた、特定の実施形態では、外部電源から電源ＱＱ１３６に電力を送達するように動作可能であってもよい。これは、例えば、電源ＱＱ１３６の充電のためであってもよい。電力回路ＱＱ１３７は電力が供給されるＷＤ ＱＱ１１０のそれぞれの構成要素に適した電力にするために、電源ＱＱ１３６からの電力に対して任意のフォーマット、変換、または他の修正を実行することができる。
【０１５４】
図１１：いくつかの実施形態によるユーザ装置。
【０１５５】
図１１は、本明細書で説明される様々な態様によるＵＥの一実施形態を示す。本明細書で使用されるように、ユーザ装置またはＵＥは必ずしも、関連するデバイスを所有し、かつ/または操作する人間のユーザという意味でユーザを有するとは限らない。代わりに、ＵＥは人間のユーザへの販売または人間のユーザによる操作が意図されているが、最初は特定の人間のユーザ（例えば、スマートスプリンクラコントローラ）に関連付けられていてもいなくてもよく、または関連付けられていなくてもよいデバイスを表してもよい。あるいはＵＥがエンドユーザへの販売またはエンドユーザによる操作を意図されていないが、ユーザ（例えば、スマート電力メータ）のために関連付けられるか、または操作され得るデバイスを表し得る。ＵＥ ＱＱ２２００は、ＮＢ−ＩｏＴ ＵＥ、マシンタイプ通信（ＭＴＣ）ＵＥ、および/または拡張ＭＴＣ（ｅＭＴＣ）ＵＥを含む、第３世代パートナーシッププロジェクト（３ＧＰＰ）によって特定される任意のＵＥであってもよい。ＵＥ ＱＱ２００は図１１に例示されているように、３ＧＰＰのＧＳＭ、ＵＭＴＳ、ＬＴＥ、および/または５Ｇ標準規格のような、第３世代パートナーシッププロジェクト（３ＧＰＰ）によって公布された１つ以上の通信標準規格に従って通信するように設定されたＷＤの一例である。前述のように、用語ＷＤおよびＵＥは、交換可能に使用され得る。したがって、図１１はＵＥであるが、本明細書で説明される構成要素はＷＤに等しく適用可能であり、その逆もまた同様である。
【０１５６】
図１１において、ＵＥ ＱＱ２００は、入力/出力インターフェースＱＱ２０５、無線周波数（ＲＦ）インターフェースＱＱ２０９、ネットワーク接続インターフェースＱＱ２１１、ランダムアクセスメモリ（ＲＡＭ）ＱＱ２１７を含むメモリＱＱ２１５、読出し専用メモリ（ＲＯＭ）ＱＱ２１９、および記憶媒体ＱＱ２２１など、通信サブシステムＱＱ２３１、電源ＱＱ２３３、および/または任意の他の構成要素、またはそれらの任意の組合せに動作可能に結合された処理回路ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１が他の同様のタイプの情報を含むことができる。いくつかのＵＥは、図１１に示される構成要素のすべて、または構成要素のサブセットのみを利用し得る。コンポーネント間の統合のレベルは、１つのＵＥから別のＵＥへと変化し得る。さらに、いくつかのＵＥは、複数のプロセッサ、メモリ、トランシーバ、送信機、受信機など、コンポーネントの複数のインスタンスを含み得る。
【０１５７】
図１１において、処理回路ＱＱ２０１は、コンピュータ命令およびデータを処理するように構成されてもよい。処理回路ＱＱ２０１は１つまたは複数のハードウェア実装状態機械（例えば、個別論理、ＦＰＧＡ、ＡＳＩＣなど）、適切なファームウェアとともにプログラマブル論理、１つまたは複数の格納プログラム、マイクロプロセッサまたはデジタル信号プロセッサ（ＤＳＰ）などの汎用プロセッサ、ならびに適切なソフトウェア、または上記の任意の組合せなど、機械可読コンピュータプログラムとしてメモリに格納された機械命令を実行するように動作可能な任意の順次状態機械を実装するように構成され得る。例えば、処理回路ＱＱ２０１は、２つの中央処理装置（ＣＰＵ）を含むことができる。データは、コンピュータによる使用に適した形式の情報であってもよい。
【０１５８】
図示の実施形態では、入力/出力インターフェースＱＱ２０５が入力装置、出力デバイス、または入力および出力デバイスに通信インターフェースを提供するように構成することができる。ＵＥ ＱＱ２００は、入出力インターフェースＱＱ２０５を介して出力デバイスを使用するように構成され得る。出力デバイスは、入力デバイスと同じタイプのインタフェースポートを使用することができる。例えば、ＵＳＢポートは、ＵＥ ＱＱ２００への入力およびＵＥ ＱＱ２００からの出力を提供するために使用され得る。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥ ＱＱ２００は、ユーザがＵＥ ＱＱ２００に情報を取り込むことができるように、入力/出力インターフェースＱＱ２０５を介して入力デバイスを使用するように設定されてもよい。入力デバイスはタッチセンシティブまたはプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力装置は、加速度計、磁力計、デジタルカメラ、マイクロフォン、および光センサであってもよい。
【０１５９】
図１１において、ＲＦインタフェースＱＱ２０９は、送信機、受信機、およびアンテナなどのＲＦ構成要素に通信インターフェースを提供するように構成されてもよい。ネットワーク接続インターフェースＱＱ２１１は、ネットワークＱＱ２４３ａへの通信インターフェースを提供するように構成され得る。ネットワークＱＱ２４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および/または無線ネットワークを含むことができる。例えば、ネットワークＱＱ２４３ａは、Ｗｉ−Ｆｉネットワークを構成することができる。ネットワーク接続インターフェースＱＱ２１１は、イーサネット（登録商標）、ＴＣＰ/ＩＰ、ＳＯＮＥＴ、ＡＴＭなどの１つまたは複数の通信プロトコルに従って、通信ネットワークを介して１つまたは複数の他のデバイスと通信するために使用される受信機および送信機インターフェースを含むように構成され得る。ネットワーク接続インターフェースＱＱ２１１は通信ネットワークリンク（例えば、光、電気等）に適した受信機および送信機の機能を実装することができる。送信機機能および受信機機能は回路構成要素、ソフトウェア、またはファームウェアを共有することができ、あるいは、別々に実装することができる。
【０１６０】
ＲＡＭ ＱＱ２１７は、オペレーティングシステム、アプリケーションプログラム、およびデバイスドライバなどのソフトウェアプログラムの実行中にデータまたはコンピュータ命令の記憶またはキャッシュを提供するために、バスＱＱ２０２を介して処理回路ＱＱ２０１に結合させるように構成することができる。ＲＯＭ ＱＱ２１９は、コンピュータ命令またはデータを処理回路ＱＱ２０１に提供するように構成することができる。例えば、ＲＯＭ ＱＱ２１９は、基本入出力（Ｉ/Ｏ）、スタートアップ、または不揮発性メモリに記憶されたキーボードからのキーストロークの受信などの基本システム機能のための不変の低レベルシステムコードまたはデータを記憶するように構成することができる。記憶媒体ＱＱ２２１は、ＲＡＭ、ＲＯＭ、プログラマブルリードオンリメモリ（ＰＲＯＭ）、消去可能プログラマブルリードオンリメモリ（ＥＰＲＯＭ）、電気的消去可能プログラマブルリードオンリメモリ（ＥＥＰＲＯＭ）、磁気ディスク、光ディスク、フロッピー（登録商標）ディスク、ハードディスク、リムーバブルカートリッジ、またはフラッシュドライブなどのメモリを含むように構成され得る。一例では、記憶媒体ＱＱ２２１がオペレーティング・システムＱＱ２２３、ウェブブラウザアプリケーション、ウィジェットまたはガジェットエンジンまたは別のアプリケーションなどのアプリケーション・プログラムＱＱ２２５、およびデータファイルＱＱ２２７を含むように構成することができる。記憶媒体ＱＱ２２１はＵＥ ＱＱ２００による使用のために、様々なオペレーティング・システムのうちの任意のもの、またはオペレーティングシステムの組合せを記憶することができる。
【０１６１】
記憶媒体ＱＱ２２１は、独立ディスクの冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ ＳＤＲＡＭ、加入者識別モジュールまたは取り外し可能ユーザ識別（ＳＩＭ/ＲＵＩＭ）モジュールなどのスマートカードメモリ、他のメモリ、またはそれらの任意の組合せなど、複数の物理駆動部含むように構成され得る。記憶媒体ＱＱ２２１は、ＱＱ２００が一時的または非一時的メモリ媒体に記憶されたコンピュータ実行可能命令、アプリケーションプログラムなどにアクセスして、データをオフロードしたり、データをアップロードしたりすることを可能にする。通信システムを利用するものなどの製造品は、デバイス可読媒体を備えることができる記憶媒体ＱＱ２２１において有形に具現化することができる。
【０１６２】
図１１では、処理回路ＱＱ２０１が、通信サブシステムＱＱ２３１を使用してネットワークＱＱ２４３ｂと通信するように構成され得る。ネットワークＱＱ２４３ＡおよびネットワークＱＱ２４３Ｂは、同じネットワークであってもよいし、異なるネットワークであってもよい。通信サブシステムＱＱ２３１は、ネットワークＱＱ２４３Ｂと通信するために使用される１つまたは複数のトランシーバを含むように構成され得る。例えば、通信サブシステムＱＱ２３１は、ＩＥＥＥ ８０２.ＱＱ２、ＣＤＭＡ、ＷＣＤＭＡ、ＧＳＭ、ＬＴＥ、ＵＴＲＡＮ、ＷｉＭａｘなどの１つまたは複数の通信プロトコルに従って、別のＷＤ、ＵＥ、または無線アクセスネットワーク（ＲＡＮ）の基地局などの無線通信が可能な別の装置の１つまたは複数のリモートトランシーバと通信するために使用される１つまたは複数のトランシーバを含むように構成され得る。各トランシーバはＲＡＮリンクに適切な送信機または受信機の機能（例えば、周波数割り当てなど）をそれぞれ実装するために、送信機ＱＱ２３３および/または受信機ＱＱ２３５を含み得る。さらに、各トランシーバの送信機ＱＱ２３３および受信機ＱＱ２３５は回路構成要素、ソフトウェア、またはファームウェアを共有することができ、あるいは別々に実装することができる。
【０１６３】
図示の実施形態では、通信サブシステムＱＱ２３１の通信機能がデータ通信、音声通信、マルチメディア通信、Ｂｌｕｅｔｏｏｔｈ（登録商標）などの短距離通信、近距離通信、位置を決定するための全地球測位システム（ＧＰＳ）の使用などの位置ベース通信、別の同様の通信機能、またはそれらの任意の組合せを含むことができる。例えば、通信サブシステムＱＱ２３１は、セルラ通信、Ｗｉ−Ｆｉ通信、Ｂｌｕｅｔｏｏｔｈ通信、およびＧＰＳ通信を含むことができる。ネットワークＱＱ２４３Ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および/または無線ネットワークを含むことができる。例えば、ネットワークＱＱ２４３ｂは、携帯電話ネットワーク、Ｗｉ−Ｆｉネットワーク、及び/又は近場ネットワークであることができる。電源ＱＱ２１３は、ＵＥ ＱＱ２００の構成要素に交流（ＡＣ）または直流（ＤＣ）電力を供給するように構成され得る。
【０１６４】
本明細書で説明される特徴、利点、および/または機能は、ＵＥ ＱＱ２００のコンポーネントのうちの１つで実装され得るか、またはＵＥ ＱＱ２００の複数のコンポーネントにわたって分割され得る。さらに、本明細書で説明される特徴、利点、および/または機能は、ハードウェア、ソフトウェア、またはファームウェアの任意の組合せで実装され得る。一例では、通信サブシステムＱＱ２３１が本明細書で説明される構成要素のうちのいずれかを含むように構成され得る。さらに、処理回路ＱＱ２０１は、バスＱＱ２０２を介してそのような構成要素のいずれかと通信するように構成され得る。別の例では、そのような構成要素のいずれも、処理回路ＱＱ２０１によって実行されるときに本明細書で説明される対応する機能を実行する、メモリに格納されたプログラム命令によって表され得る。別の例では、そのような構成要素のいずれかの機能が処理回路ＱＱ２０１と通信サブシステムＱＱ２３１との間で区分され得る。別の例ではそのような構成要素のいずれかの計算集約的でない機能がソフトウェアまたはファームウェアで実装されてもよく、計算集約的な機能はハードウェアで実装されてもよい。
【０１６５】
図１２：いくつかの実施形態による仮想化環境
【０１６６】
図１２は、いくつかの実施形態によって実装される機能を仮想化することができる仮想化環境ＱＱ３００を示す概略ブロック図である。本文脈では、仮想化手段が仮想化ハードウエアプラットフォーム、記憶装置、およびネットワーキングリソースを含むことができる装置またはデバイスの仮想バージョンを作成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらのコンポーネントに適用されることができ、機能の少なくとも一部が１つまたは複数の仮想コンポーネントとして（例えば、１つまたは複数のネットワーク内の１つまたは複数の物理処理ノード上で実行される１つまたは複数のアプリケーション、コンポーネント、機能、仮想マシン、またはコンテナを介して）実装される実装形態に関係する。
【０１６７】
いくつかの実施形態では、本明細書で説明される機能のいくつかまたはすべてはハードウェアノードＱＱ３３０のうちの１つまたは複数によってホストされる１つまたは複数の仮想環境ＱＱ３００で実装される１つまたは複数の仮想マシンによって実行される仮想コンポーネントとして実装され得る。さらに、仮想ノードが無線アクセスノードでないか、または無線接続性を必要としない実施形態（例えば、コアネットワークノード）では、ネットワークノードを完全に仮想化することができる。
【０１６８】
機能は、本明細書で開示される実施形態のいくつかの特徴、機能、および/または利益のいくつかを実装するように動作可能な１つまたは複数のアプリケーションＱＱ３２０（代替として、ソフトウェアインスタンス、仮想アプライアンス、ネットワーク機能、仮想ノード、仮想ネットワーク機能などと呼ばれ得る）によって実装され得る。アプリケーションＱＱ３２０は、処理回路ＱＱ３６０およびメモリＱＱ３９０を含むハードウェアＱＱ３３０を提供する仮想化環境ＱＱ３００で実行される。メモリＱＱ３９０は、処理回路ＱＱ３６０によって実行可能な命令ＱＱ３９５を含み、それによって、アプリケーションＱ３２０は、本明細書で開示される特徴、利点、および/または機能のうちの１つまたは複数を提供するように動作可能である。
【０１６９】
仮想化環境ＱＱ３００は、市販の既製（ＣＯＴＳ）プロセッサ、専用特定用途向け集積回路（ＡＳＩＣ）、またはデジタルもしくはアナログハードウェア構成要素もしくは専用プロセッサを含む任意の他のタイプの処理回路であってもよい、１つまたは複数のプロセッサまたは処理回路ＱＱ３６０のセットを備える汎用または専用ネットワークハードウェアデバイスＱＱ３３０を備える。各ハードウェアデバイスは、命令ＱＱ３９５または処理回路ＱＱ３６０によって実行されるソフトウェアを一時的に格納するための非持続性メモリであり得るメモリＱＱ３９０−１を備え得る。各ハードウェアデバイスは、物理ネットワークインターフェースＱＱ３８０を含む、ネットワークインタフェースカードとしても知られている１つまたは複数のネットワークインターフェースコントローラ（ネットワークインタフェースカード）ＱＱ３７０を備えることができる。各ハードウェアデバイスはまた、ソフトウェアＱＱ３９５および/または処理回路ＱＱ３６０によって実行可能な命令をその中に格納した、非一時的な、永続的な、機械可読記憶媒体ＱＱ３９０−２を含むことができる。ソフトウェアＱＱ３９５は、１つまたは複数の仮想化レイヤＱＱ３５０（ハイパーバイザとも呼ばれる）をインスタンス化するためのソフトウェア、仮想マシンＱＱ３４０を実行するためのソフトウェア、ならびに本明細書で説明されるいくつかの実施形態に関連して説明される機能、特徴、および/または利益を実行することを可能にするソフトウェアを含む、任意のタイプのソフトウェアを含むことができる。
【０１７０】
仮想マシンＱＱ３４０は、仮想処理、仮想メモリ、仮想ネットワーキングまたはインターフェース、および仮想ストレージを含み、対応する仮想化レイヤＱＱ３５０またはハイパーバイザによって実行され得る。仮想アプライアンスＱＱ３２０のインスタンスの異なる実施形態は１つまたは複数の仮想マシンＱＱ３４０上で実装されてもよく、実装は異なる方法で行われてもよい。
【０１７１】
動作中、処理回路ＱＱ３６０は、ソフトウェアＱＱ３９５を実行して、仮想マシンモニタ（ＶＭＭ）と呼ばれることもあるハイパーバイザまたは仮想化レイヤＱＱ３５０をインスタンス化する。仮想化レイヤＱＱ３５０は、ネットワークハードウェアのように見える仮想オペレーティングプラットフォームを仮想マシンＱＱ３４０に提示することができる。
【０１７２】
図１２に示すように、ハードウェアＱＱ３３０は、汎用または特定のコンポーネントを備えたスタンドアロンネットワークノードであってもよい。ハードウェアＱＱ３３０は、アンテナＱＱ３２２５を備えることができ、仮想化を介していくつかの機能を実装することができる。あるいは、ハードウェアＱＱ３３０が多くのハードウェアノードが一緒に動作し、とりわけアプリケーションＱＱ３２０のライフサイクル管理を監視するマネージメントとオーケストレーション（ＭＡＮＯ）ＱＱ３１００を介して管理される（例えば、データセンタまたは顧客構内機器（ＣＰＥ）などの）ハードウェアのより大きなクラスタの一部であってもよい。
【０１７３】
ハードウェアの仮想化は、いくつかの状況ではネットワーク機能仮想化（ＮＦＶ）と呼ばれる。ＮＦＶは、多くのネットワーク機器タイプを、業界標準の大容量サーバハードウェア、物理スイッチ、およびデータセンタ内に配置することができる物理ストレージ、ならびに顧客構内機器に統合するために使用することができる。
【０１７４】
ＮＦＶのコンテキストでは、仮想マシンＱＱ３４０があたかも物理的な仮想化されていないマシン上で実行されているかのようにプログラムを実行する物理マシンのソフトウェア実装であってもよい。仮想マシンＱＱ３４０の各々、およびその仮想マシンを実行するハードウェアＱＱ３３０のその部分は、その仮想マシンに専用のハードウェア、および/またはその仮想マシンによって他の仮想マシンＱＱ３４０と共有されるハードウェアであっても、別個の仮想ネットワーク要素（ＶＮＥ）を形成する。
【０１７５】
さらに、ＮＦＶのコンテキストでは、仮想ネットワーク機能（ＶＮＦ）がハードウェアネットワークインフラストラクチャＱＱ３３０上の１つ以上の仮想マシンＱＱ３４０で実行され、図１２のアプリケーションＱＱ３２０に対応する特定のネットワーク機能を処理する。
【０１７６】
いくつかの実施形態では、それぞれが１つまたは複数の送信機ＱＱ３２２０および１つまたは複数の受信機ＱＱ３２１０を含む１つまたは複数の無線ユニットＱＱ３２００が１つまたは複数のアンテナＱＱ３２２５に結合され得る。無線ユニットＱＱ３２００は１つまたは複数の適切なネットワークインターフェースを介してハードウェアノードＱＱ３３０と直接通信することができ、仮想コンポーネントと組み合わせて使用されて、無線アクセスノードまたは基地局などの無線機能を仮想ノードに提供することができる。
【０１７７】
いくつかの実施形態では、いくつかの信号がハードウェアノードＱＱ３３０と無線ユニットＱＱ３２００との間の通信のために代替的に使用され得る制御システムＱＱ３２３０を使用して実施され得る。
【０１７８】
図１３：ある実施形態に従って中間ネットワークを介してホストコンピュータに接続された電気通信ネットワーク
【０１７９】
図１３を参照すると、一実施形態によれば、通信システムは、無線アクセスネットワークなどのアクセスネットワークＱＱ４１１と、コアネットワークＱＱ４１４とを備える、３ＧＰＰタイプのセルラーネットワークなどの電気通信ネットワークＱＱ４１０を含む。アクセスネットワークＱＱ４１１はＮＢ、ＥＮＢ、ＧＮＢ、または他のタイプの無線アクセスポイントなどの複数の基地局ＱＱ４１２ａ、ＱＱ４１２ｂ、ＱＱ４１２ｃを備え、それぞれは対応するカバレージエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線または無線接続ＱＱ４１５を介してコアネットワークＱＱ４１４に接続可能である。カバレージエリアＱＱ４１３Ｃに位置する第１のＵＥ ＱＱ４９１は対応する基地局ＱＱ４１２ｃに無線で接続するように、または対応する基地局ＱＱ４１２ｃによってページングされるように構成される。カバレージエリアＱＱ４１３ａ内の第２のＵＥ ＱＱ４９２は、対応する基地局ＱＱ４１２Ａに無線で接続可能である。複数のＵＥ ＱＱ４９１、ＱＱ４９２がこの例に示されているが、開示された実施形態は単一のＵＥがカバレージエリア内にある状況、または単一のＵＥが対応する基地局ＱＱ４１２に接続している状況に等しく適用可能である。
【０１８０】
通信ネットワークＱＱ４１０自体はホストコンピュータＱＱ４３０に接続され、ホストコンピュータＱＱ４３０はスタンドアロンサーバ、クラウド実装サーバ、分散サーバのハードウェアおよび/またはソフトウェアで、またはサーバファーム内の処理リソースとして実施することができる。ホストコンピュータＱＱ４３０は、サービスプロバイダの所有権または制御下にあってもよいし、サービスプロバイダによって、またはサービスプロバイダの代わりに操作されてもよい。通信ネットワークＱＱ４１０とホストコンピュータＱＱ４３０との間の接続ＱＱ４２１およびＱＱ４２２はコアネットワークＱＱ４１４からホストコンピュータＱＱ４３０に直接延在することができ、あるいは任意の中間ネットワークＱＱ４２０を介して進むことができる。中間ネットワークＱＱ４２０は、パブリック、プライベート、またはホステッドネットワークの１つまたは複数の組み合わせであってもよい。中間ネットワークＱＱ４２０は、もしあれば、バックボーンネットワークまたはインターネットであってもよい。特に、中間ネットワークＱＱ４２０は、２つ以上のサブネットワークから構成されてもよい（不図示）。
【０１８１】
図１３の通信システムは、全体として、接続されたＱＱ４９１、ＱＱ４９２とホストコンピュータＱＱ４３０との間の接続を可能にする。接続性は、オーバー・ザ・トップ（ＯＴＴ）接続ＱＱ４５０として記述されうる。ホストコンピュータＱＱ４３０および接続されたＵＥ ＱＱ４９１、ＱＱ４９２は、アクセスネットワークＱＱ４１１、コアネットワークＱＱ４１４、任意の中間ネットワークＱＱ４２０、および可能なさらなるインフラストラクチャ（図示せず）を媒介として使用して、ＯＴＴコネクションＱＱ４５０を介してデータおよび/または信号を通信するように構成される。ＯＴＴコネクションＱＱ４５０は、ＯＴＴコネクションＱＱ４５０が通過する参加通信デバイスがアップリンク通信およびダウンリンク通信のルーティングに気付かないという意味で、トランスペアレント（透過的）であり得る。例えば、基地局ＱＱ４１２は接続されたＵＥ ＱＱ４９１に転送される（例えば、ハンドオーバされる）ホストコンピュータＱＱ４３０から発信されるデータを用いた着信ダウンリンク通信の過去のルーティングについて通知されなくてもよく、または通知される必要がなくてもよい。同様に、基地局ＱＱ４１２は、ＵＥ ＱＱ４９１からホストコンピュータＱＱ４３０に向かう発信アップリンク通信の将来のルーティングを知っている必要はない。
【０１８２】
図１４：いくつかの実施形態によれば、ホストコンピュータは、基地局を介して、部分的に無線接続を介してユーザ機器と通信する。
【０１８３】
実施例は上記の実施形態に従い、図１４を参照して、本節で説明したＵＥ、基地局およびホストコンピュータの具体化に従い、通信システムＱＱ５００では、ホストコンピュータＱＱ５１０が通信システムＱＱ５００の異なる通信装置のインターフェースと有線または無線の接続を設定し維持するように構成された通信インターフェースＱＱ５１６を含むハードウェアＱＱ５１５を構成する。通信システムＱＱ５００では、ホストコンピュータＱＱ５１０が通信システムＱＱ５００の異なる通信デバイスのインターフェースとの有線または無線接続をセットアップおよび維持するように構成された通信インターフェースＱＱ５１６を含むハードウェアＱＱ５１５を備える。ホストコンピュータＱＱ５１０は、記憶および/または処理能力を有することができる処理回路ＱＱ５１８をさらに備える。具体的には、処理回路ＱＱ５１８が１つまたは複数のプログラマブルプロセッサ、特定用途向け集積回路、フィールドプログラマブルゲートアレイ、または指示を実行するように適合されたこれらの組合せ（図示せず）を備えることができる。ホストコンピュータＱ５１０はさらに、ホストコンピュータＱＱ５１０に記憶されるか又はアクセス可能なソフトウェアＱＱ５１１から構成されており、処理回路ＱＱ５１８によって実行可能である。ソフトウェアＱＱ５１１は、ホストアプリケーションＱＱ５１２を含む。ホストアプリケーションＱＱ５１２は、ＵＥ ＱＱ５３０およびホストコンピュータＱＱ５１０で終端するＯＴＴコネクションＱＱ５５０を介して接続するＵＥ ＱＱ５３０などのサービスをリモートユーザに提供するように動作可能である。リモートユーザにサービスを提供する際に、ホストアプリケーションＱＱ５１２は、ＯＴＴコネクションＱＱ５５０を使用して送信されるユーザデータを提供することができる。
【０１８４】
通信システムＱＱ５００はさらに、通信システム内に設けられ、ホストコンピュータＱＱ５１０およびＵＥ ＱＱ５３０と通信することを可能にするハードウェアＱＱ５２５を備える基地局ＱＱ５２０を含む。ハードウェアＱＱ５２５は、通信システムＱＱ５００の異なる通信デバイスのインターフェースとの有線または無線接続をセットアップおよび維持するための通信インターフェースＱＱ５２６、ならびに基地局ＱＱ５２０によってサービスされるカバレッジエリア（図１４には示されていない）内に位置するＵＥ ＱＱ５３０との少なくとも無線接続ＱＱ５７０をセットアップおよび維持するための無線インターフェースＱＱ５２７を含み得る。通信インターフェースＱＱ５２６は、ホストコンピュータＱＱ５１０へのコネクションＱＱ５６０を容易にするように構成され得る。コネクションＱＱ５６０は直接的であってもよく、または電気通信システムのコアネットワーク（図１４には示されていない）を通過し、および/または電気通信システムの外部の１つ以上の中間ネットワークを通過してもよい。図示の実施形態では、基地局ＱＱ５２０のハードウェアＱＱ５２５が１つまたは複数のプログラマブルプロセッサ、特定用途向け集積回路、フィールドプログラマブルゲートアレイ、または指示を実行するように適合されたこれらの組合せ（図示せず）を備えることができる処理回路ＱＱ５２８をさらに含む。基地局ＱＱ５２０はさらに、内部に記憶された、または外部接続を介してアクセス可能なソフトウェアＱＱ５２１を有する。
【０１８５】
通信システムＱＱ５００は、既に参照したＱＱ５３０をさらに含む。そのハードウェアＱＱ５３５はＵＥ ＱＱ５３０が現在位置するカバレージエリアにサービスを提供する基地局との無線接続ＱＱ５７０をセットアップし、維持するように構成された無線インターフェースＱＱ５３７を含むことができる。ＵＥ ＱＱ５３０のハードウェアＱＱ５３５はさらに処理回路ＱＱ５３８を含み、これは、指示を実行するように適合された、１以上のプログラム可能なプロセッサ、アプリケーション特有の集積回路、フィールドプログラム可能なゲートアレイまたはこれら（図示せず）の組合せを含むことができる。ＵＥ ＱＱ５３０はさらにソフトウェアＱＱ５３１を含み、ソフトウェアＱＱ５３１はＵＥ ＱＱ５３０に格納されるか、またはＵＥ ＱＱ５３０によってアクセス可能であり、処理回路ＱＱ５３８によって実行可能である。ソフトウェアＱＱ５３１は、クライアントアプリケーションＱＱ５３２を含む。クライアントアプリケーションＱＱ５３２は、ホストコンピュータＱＱ５１０のサポートにより、ＵＥ ＱＱ５３０を介して人間または非人間のユーザにサービスを提供するように動作可能であってもよい。ホストコンピュータＱＱ５１０では、実行中のホストアプリケーションＱＱ５１２がＵＥ ＱＱ５３０およびホストコンピュータＱＱ５１０で終端するＯＴＴコネクションＱＱ５５０を介して実行中のクライアントアプリケーションＱＱ５３２と通信することができる。ユーザにサービスを提供する際に、クライアントアプリケーションＱＱ５３２はホストアプリケーションＱＱ５１２から要求データを受信し、要求データに応答してユーザデータを提供することができる。ＯＴＴコネクションＱＱ５５０は、要求データおよびユーザデータの両方を転送することができる。クライアントアプリケーションＱＱ５３２は、ユーザと対話して、それが提供するユーザデータを生成することができる。
【０１８６】
図１４に示すホストコンピュータＱＱ５１０、基地局ＱＱ５２０、およびＱＱ５３０は、それぞれ、ホストコンピュータＱＱ４３０、基地局ＱＱ４１２ａ、ＱＱ４１２ｂ、ＱＱ４１２ｃのうちの１つ、および図１３のＵＥ ＱＱ４９１、ＱＱ４９２のうちの１つと類似または同一とすることができることに留意されたい。すなわち、これらのエンティティの内部動作は図１４に示されるようなものであってもよく、独立して、周囲のネットワークトポロジは図１３のものであってもよい。
【０１８７】
図１４では、ＯＴＴコネクションＱＱ５５０がいかなる中間デバイスも明示的に参照せずに、基地局ＱＱ５２０を介したホストコンピュータＱＱ５１０とＱＱＵＥ５３０との間の通信、およびこれらの装置を介したメッセージの正確なルーティングを示すために抽象的に描かれている。ネットワークインフラストラクチャは、ＵＥ ＱＱ５３０から、またはホストコンピュータＱＱ５１０を動作させるサービスプロバイダから、またはその両方から隠すように構成され得るルーティングを決定し得る。ＯＴＴコネクションＱＱ５５０がアクティブである間、ネットワークインフラストラクチャは（例えば、負荷分散の考慮またはネットワークの再構成に基づいて）ルーティングを動的に変更する決定をさらに行うことができる。
【０１８８】
ＵＥ ＱＱ５３０と基地局ＱＱ５２０との間の無線接続ＱＱ５７０は、本開示全体にわたって説明される実施形態の教示に従う。様々な実施形態のうちの１つまたは複数は、無線接続ＱＱ５７０が最後のセグメントを形成するＯＴＴコネクションＱＱ５５０を使用して、ＵＥ ＱＱ５３０に提供されるＯＴＴサービスの性能を改善する。より正確には、これらの実施形態の教示がビデオ処理のためのデブロックフィルタリングを改善することができ、それによって、改善されたビデオ符号化および/または復号化などの利点を提供することができる。
【０１８９】
１つまたは複数の実施形態が改善するデータレート、待ち時間、および他の要因を監視する目的で、測定手順を提供することができる。さらに、測定結果の変動に応答して、ホストコンピュータＱＱ５１０とＵＥ ＱＱ５３０との間のＯＴＴコネクションＱＱ５５０を再構成するためのオプションのネットワーク機能があってもよい。ＯＴＴコネクションＱＱ５５０を再構成するための測定手順および/またはネットワーク機能は、ホストコンピュータＱＱ５１０のソフトウェアＱＱ５１１およびハードウェアＱＱ５１５、またはＵＥ ＱＱ５３０のソフトウェアＱＱ５３１およびハードウェアＱＱ５３５、またはその両方で実施することができる。実施形態ではセンサ（図示せず）がＯＴＴコネクションＱＱ５５０が通過する通信デバイスに、またはそれに関連して配備されてもよく、センサは上で例示された監視量の値を供給することによって、またはソフトウェアＱＱ５１１、ＱＱ５３１が監視量を計算または推定することができる他の物理量の値を供給することによって、測定手順に関与してもよい。ＯＴＴコネクションＱＱ５５０の再構成はメッセージフォーマット、再送信設定、好ましいルーティングなどを含むことができ、再構成は、基地局ＱＱ５２０に影響を及ぼす必要はなく、基地局ＱＱ５２０には知られていないか、または知覚できないことがある。このような手順および機能性は当技術分野で公知であり、実践され得る。いくつかの実施形態では、測定がスループット、伝搬時間、待ち時間などのホストコンピュータＱＱ５１０の測定を容易にする独自のＵＥシグナリングを含むことができる。測定は、ソフトウェアＱＱ５１１およびＱＱ５３１が伝搬時間、エラーなどを監視しながら、ＯＴＴコネクションＱＱ５５０を使用して、メッセージ、特に空または「ダミー」メッセージを送信させることによって実施することができる。
【０１９０】
図１５:  いくつかの実施形態による、ホストコンピュータ、基地局、およびユーザ装置を含む通信システムにおいて実施される方法
【０１９１】
図１５は、一実施形態による、通信システムにおいて実施される方法を示すフローチャートである。通信システムは、ホストコンピュータ、基地局、および図１３および図１４を参照して説明したＵＥを含む。本開示を簡単にするために、図１５に対する図面参照のみがこのセクションに含まれる。ステップＱＱ６１０において、ホストコンピュータはユーザデータを提供する。ステップＱＱ６１０のサブステップＱＱ６１１（オプションであってもよい）において、ホストコンピュータはホストアプリケーションを実行することによってユーザデータを提供する。ステップＱＱ６２０において、ホストコンピュータは、ユーザデータを搬送する送信をＵＥに開始する。ステップＱＱ６３０（オプションであってもよい）において、基地局は、本開示全体にわたって説明される実施形態の教示に従って、ホストコンピュータが開始した送信において搬送されたユーザデータをＵＥに送信する。ステップＱＱ６４０（オプションであってもよい）において、ＵＥは、ホストコンピュータによって実行されるホストアプリケーションに関連するクライアントアプリケーションを実行する。
【０１９２】
図１６：いくつかの実施形態による、ホストコンピュータ、基地局、およびユーザ装置を含む通信システムにおいて実施される方法
【０１９３】
図１６は、一実施形態による、通信システムにおいて実施される方法を示すフローチャートである。通信システムは、ホストコンピュータ、基地局、および図１３および図１４を参照して説明したＵＥを含む。本開示を簡単にするために、図１６に対する図面参照のみがこのセクションに含まれる。本方法のステップＱＱ７１０において、ホストコンピュータはユーザデータを提供する。任意のサブステップ（図示せず）において、ホストコンピュータがホストアプリケーションを実行することによってユーザデータを提供する。ステップＱＱ７２０において、ホストコンピュータは、ユーザデータを搬送する送信をＵＥに開始する。送信は、本開示全体にわたって説明される実施形態の教示に従って、基地局を介して渡され得る。ステップＱＱ７３０（オプションであってもよい）において、ＵＥは、送信において搬送されたユーザデータを受信する。
【０１９４】
図１７: いくつかの実施形態による、ホストコンピュータ、基地局、およびユーザ装置を含む通信システムにおいて実施される方法
【０１９５】
図１７は、一実施形態による、通信システムにおいて実施される方法を示すフローチャートである。通信システムは、ホストコンピュータ、基地局、および図１３および図１４を参照して説明したＵＥを含む。本開示を簡単にするために、図１７に対する図面参照のみがこのセクションに含まれる。ステップＱＱ８１０（オプションであってもよい）において、ＵＥは、ホストコンピュータによって提供される入力データを受信する。追加的に又は代替的に、ステップＱＱ８２０において、ＵＥは、ユーザデータを提供する。ステップＱＱ８２０のサブステップＱＱ８２１（オプションであってもよい）において、ＵＥは、クライアントアプリケーションを実行することによってユーザデータを提供する。ステップＱＱ８１０のサブステップＱＱ８１１（オプションであってもよい）において、ＵＥがホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、サブステップＱＱ８３０（オプションであってもよい）において、ユーザデータのホストコンピュータへの送信を開始する。本方法のステップＱＱ８４０において、ホストコンピュータは、本開示全体にわたって説明される実施形態の教示に従って、ＵＥから送信されたユーザデータを受信する。
【０１９６】
図１８：いくつかの実施形態による、ホストコンピュータ、基地局、およびユーザ装置を含む通信システムにおいて実施される方法
【０１９７】
図１８は、一実施形態による、通信システムにおいて実施される方法を示すフローチャートである。通信システムは、ホストコンピュータ、基地局、および図１３および図１４を参照して説明したＵＥを含む。本開示を簡単にするために、図１８に対する図面参照のみがこのセクションに含まれる。ステップＱＱ９１０（オプションであってもよい）では本開示全体にわたって説明される実施形態の教示に従って、基地局はＵＥからユーザデータを受信する。ステップＱＱ９２０（オプションであってもよい）において、基地局は、受信したユーザデータのホストコンピュータへの送信を開始する。ステップＱＱ９３０（オプションであってもよい）において、ホストコンピュータは、基地局によって開始された送信において搬送されたユーザデータを受信する。
【０１９８】
本明細書で開示される任意の適切なステップ、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つまたは複数のタイプのメモリを含むことができる、メモリに格納されたプログラムコードを実行するように構成することができる。メモリに格納されたプログラムコードは、１つまたは複数の電気通信および/またはデータ通信プロトコルを実行するためのプログラム命令、ならびに本明細書で説明される技法のうちの１つまたは複数を実行するための命令を含む。いくつかの実装形態では、処理回路がそれぞれの機能ユニットに、本開示の１つまたは複数の実施形態による対応する機能を実行させるために使用され得る。
【０１９９】
ユニットという用語は電子機器、電気デバイス、および/または電子デバイスの分野において従来の意味を有することができ、たとえば、本明細書で説明するような、電気および/または電子回路、デバイス、モジュール、プロセッサ、メモリ、ロジックソリッドステートおよび/またはディスクリートデバイス、それぞれのタスク、手順、演算、出力、および/または表示機能などを実行するためのコンピュータプログラムまたは命令を含むことができる。
【０２００】
上記の説明および図面に関連して、多くの異なる実施形態が本明細書に開示されている。これらの実施形態のあらゆる組合せおよびサブコンビネーションを文字通りに説明し、例示することは、不当に繰り返され、難読化されることが理解されるのであろう。したがって、すべての実施形態は任意の方法および/または組合せで組合せることができ、図面を含む本明細書は本明細書で説明される実施形態のすべての組合せおよびサブコンビネーション、ならびにそれらを作製および使用する方法およびプロセスの完了書面による説明を構成すると解釈されるべきであり、そのような任意の組合せまたはサブコンビネーションに対する特許請求の範囲を支持するものとする。
【０２０１】
図面および明細書では本発明の概念の典型的な実施形態が開示されており、特定の用語が使用されているが、それらは一般的かつ説明的な意味でのみ使用されており、限定を目的とするものではなく、本発明の概念の範囲は以下の特許請求の範囲に記載されている。
【図１】
2022501878.tif 000006
【図２】
2022501878.tif 000007
【図３】
2022501878.tif 000008
【図４】
2022501878.tif 000009
【図５】
2022501878.tif 000010
【図６】
2022501878.tif 000011
【図７】
2022501878.tif 000012
【図８】
2022501878.tif 000013
【図９】
2022501878.tif 000014
【図１０】
2022501878.tif 000015
【図１１】
2022501878.tif 000016
【図１２】
2022501878.tif 000017
【図１３】
2022501878.tif 000018
【図１４】
2022501878.tif 000019
【図１５】
2022501878.tif 000020
【図１６】
2022501878.tif 000021
【図１７】
2022501878.tif 000022
【図１８】
2022501878.tif 000023
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
デュアルコネクティビティをサポートする通信ネットワークにおける方法であって、前記方法は、
ユーザ装置（ＵＥ）と、マスタノードと共に前記ＵＥにデュアルコネクティビティのサービスを提供するセカンダリセルグループに関連付けられたセカンダリノードとの間の無線チャネルの測定のための測定設定情報要素（ＩＥ）を生成すること（５０２）と、
前記測定設定ＩＥを、無線リソース制御（ＲＲＣ）メッセージにおいて前記ＵＥに送信すること（５０６）を含む、方法。
【請求項２】
請求項１に記載の方法であって、さらに、
測定設定フィールドに前記測定設定ＩＥをカプセル化（５０４）することであって、前記測定設定フィールドは、測定報告のために前記ＵＥによって使用される、定義されたシグナリング無線ベアラ（ＳＲＢ）に関連付けられることを含む、方法。
【請求項３】
請求項２に記載の方法であって、さらに、
前記ＲＲＣメッセージに応答して、前記定義されたＳＲＢで前記ＵＥから測定報告を受信すること（６０２）を含む、方法。
【請求項４】
請求項１から３のいずれか１項に記載の方法であって、前記ＲＲＣメッセージは、ＲＲＣＲｅｃｏｎｆｉｇｕｒａｔｉｏｎメッセージを含む、方法。
【請求項５】
請求項１から４のいずれか１項に記載の方法であって、前記測定設定フィールドは第１の測定設定フィールドを含み、前記ＲＲＣメッセージは、前記第１の測定設定ＩＥとは異なる測定設定ＩＥを含む第２の測定設定フィールドを含む、方法。
【請求項６】
請求項５に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項７】
請求項１から６のいずれか１項に記載の方法であって、前記測定設定ＩＥは、前記通信ネットワークにおける前記マスタノードによって生成され、前記測定設定ＩＥをカプセル化する前記測定設定フィールドは、前記通信ネットワークにおける前記セカンダリノードによって前記ＵＥに送信される、方法。
【請求項８】
請求項２に記載の方法であって、前記定義されたＳＲＢは、ＳＲＢ３を含む、方法。
【請求項９】
請求項１から８のいずれか１項に記載の方法であって、前記ＲＲＣメッセージは、ＳＲＢ１ベアラを介して前記ＵＥに送信される、方法。
【請求項１０】
請求項９に記載の方法であって、前記ＲＲＣメッセージは、前記ＳＲＢ１ベアラを介して前記ＵＥに送信される第２のＲＲＣメッセージに埋め込まれる第１のＲＲＣメッセージを含む、方法。
【請求項１１】
請求項１から８のいずれか１項に記載の方法であって、前記ＲＲＣメッセージは、ＳＲＢ３ベアラを介して前記ＵＥに送信される、方法。
【請求項１２】
処理ユニットであって、
処理回路（２０３）と、
前記処理回路に結合されたネットワークインターフェース（２０７）と、
前記処理回路に結合されたメモリ（２０５）であって、前記処理回路によって実行されると、前記処理ユニットに請求項１から１１のいずれかに記載の動作を実行させる機械可読コンピュータプログラム命令を記憶するメモリを含む、処理ユニット。
【請求項１３】
ユーザ装置（ＵＥ）の動作方法であって、
測定設定フィールドを含む無線リソース制御（ＲＲＣ）メッセージを受信すること（７０２）と、
前記ＵＥと、マスタノードと共に前記ＵＥにデュアルコネクティビティのサービスを提供するセカンダリセルグループに関連付けられたセカンダリノードとの間の無線チャネルの測定のために、測定設定情報要素（ＩＥ）を抽出すること（７０４）、を含む、方法。
【請求項１４】
請求項１３に記載の方法であって、さらに、
前記ＲＲＣメッセージに応答して前記無線チャネルで測定を実行すること（７０６）と、
測定報告を前記マスタノードおよび/または前記セカンダリノードに送信すること（７０８）を含む、方法。
【請求項１５】
請求項１４に記載の方法であって、前記測定設定フィールドは、測定報告のために前記ＵＥによって使用される、定義されたシグナリング無線ベアラ（ＳＲＢ）に関連付けられ、
前記測定報告を送信することは、前記定義されたＳＲＢで前記測定報告を送信すること（７０８）を含む、方法。
【請求項１６】
請求項１５に記載の方法であって、前記定義されたＳＲＢは、ＳＲＢ３を含む、方法。
【請求項１７】
請求項１５または１６に記載の方法であって、前記測定設定フィールドは、第１の測定設定フィールドであり、前記ＲＲＣメッセージは、前記第１の測定設定ＩＥとは異なる測定設定ＩＥを有する第２の測定設定フィールドを含む、方法。
【請求項１８】
請求項１７に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項１９】
請求項１３から１８のいずれか１項に記載の方法であって、前記ＲＲＣメッセージは、ＳＲＢ１ベアラを介して前記セカンダリノードから受信される、方法。
【請求項２０】
請求項１３から１８のいずれか１項に記載の方法であって、前記ＲＲＣメッセージは、ＳＲＢ３ベアラを介してセカンダリセルグループから受信される、方法。
【請求項２１】
ユーザ装置（ＵＥ）であって、
処理回路（１０３）と、
前記処理回路に結合された無線トランシーバ（１０２）と、
前記処理回路に結合されたメモリ（１０５）であって、前記処理回路によって実行されると、前記ＵＥに請求項１３から２０のいずれか１項に記載の動作を実行させる機械可読コンピュータプログラム命令を記憶するメモリを含む、ＵＥ。
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
デュアルコネクティビティをサポートする通信ネットワークにおける方法であって、前記方法は、
ユーザ装置（ＵＥ）と、マスタノードと共に前記ＵＥにデュアルコネクティビティのサービスを提供するセカンダリセルグループに関連付けられたセカンダリノードとの間の無線チャネルの測定のための測定設定情報要素（ＩＥ）を生成すること（５０２）と、
前記測定設定ＩＥを、無線リソース制御（ＲＲＣ）メッセージにおいて前記ＵＥに送信すること（５０６）を含む、方法。
【請求項２】
請求項１に記載の方法であって、さらに、
測定設定フィールドに前記測定設定ＩＥをカプセル化（５０４）することであって、前記測定設定フィールドは、測定報告のために前記ＵＥによって使用される、定義されたシグナリング無線ベアラ（ＳＲＢ）に関連付けられることを含む、方法。
【請求項３】
請求項２に記載の方法であって、さらに、
前記ＲＲＣメッセージに応答して、前記定義されたＳＲＢで前記ＵＥから測定報告を受信すること（６０２）を含む、方法。
【請求項４】
請求項２または３に記載の方法であって、前記ＲＲＣメッセージは、ＲＲＣＲｅｃｏｎｆｉｇｕｒａｔｉｏｎメッセージを含む、方法。
【請求項５】
請求項２から４のいずれか１項に記載の方法であって、前記測定設定フィールドは第１の測定設定フィールドを含み、前記ＲＲＣメッセージは、前記第１の測定設定フィールドとは異なる測定設定ＩＥを含む第２の測定設定フィールドを含む、方法。
【請求項６】
請求項５に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項７】
請求項２から６のいずれか１項に記載の方法であって、前記測定設定ＩＥは、前記通信ネットワークにおける前記マスタノードによって生成され、前記測定設定ＩＥをカプセル化する前記測定設定フィールドは、前記通信ネットワークにおける前記セカンダリノードによって前記ＵＥに送信される、方法。
【請求項８】
請求項２に記載の方法であって、前記定義されたＳＲＢは、ＳＲＢ３を含む、方法。
【請求項９】
請求項１から８のいずれか１項に記載の方法であって、前記ＲＲＣメッセージは、ＳＲＢ１ベアラを介して前記ＵＥに送信される、方法。
【請求項１０】
請求項９に記載の方法であって、前記ＲＲＣメッセージは、前記ＳＲＢ１ベアラを介して前記ＵＥに送信される第２のＲＲＣメッセージに埋め込まれる第１のＲＲＣメッセージを含む、方法。
【請求項１１】
請求項１から８のいずれか１項に記載の方法であって、前記ＲＲＣメッセージは、ＳＲＢ３ベアラを介して前記ＵＥに送信される、方法。
【請求項１２】
処理ユニットであって、
処理回路（２０３）と、
前記処理回路に結合されたネットワークインターフェース（２０７）と、
前記処理回路に結合されたメモリ（２０５）であって、前記処理回路によって実行されると、前記処理ユニットに請求項１から１１のいずれかに記載の動作を実行させる機械可読コンピュータプログラム命令を記憶するメモリを含む、処理ユニット。
【請求項１３】
ユーザ装置（ＵＥ）の動作方法であって、
測定設定フィールドを含む無線リソース制御（ＲＲＣ）メッセージを受信すること（７０２）と、
前記ＵＥと、マスタノードと共に前記ＵＥにデュアルコネクティビティのサービスを提供するセカンダリセルグループに関連付けられたセカンダリノードとの間の無線チャネルの測定のために、測定設定情報要素（ＩＥ）を抽出すること（７０４）、を含む、方法。
【請求項１４】
請求項１３に記載の方法であって、さらに、
前記ＲＲＣメッセージに応答して前記無線チャネルで測定を実行すること（７０６）と、
測定報告を前記マスタノードおよび/または前記セカンダリノードに送信すること（７０８）を含む、方法。
【請求項１５】
請求項１４に記載の方法であって、前記測定設定フィールドは、測定報告のために前記ＵＥによって使用される、定義されたシグナリング無線ベアラ（ＳＲＢ）に関連付けられ、
前記測定報告を送信することは、前記定義されたＳＲＢで前記測定報告を送信すること（７０８）を含む、方法。
【請求項１６】
請求項１５に記載の方法であって、前記定義されたＳＲＢは、ＳＲＢ３を含む、方法。
【請求項１７】
請求項１５または１６に記載の方法であって、前記測定設定フィールドは、第１の測定設定フィールドであり、前記ＲＲＣメッセージは、前記第１の測定設定フィールドとは異なる測定設定ＩＥを有する第２の測定設定フィールドを含む、方法。
【請求項１８】
請求項１７に記載の方法であって、前記定義されたＳＲＢは、第１の定義されたＳＲＢを含み、前記第２の測定設定フィールドは、前記第１の定義されたＳＲＢとは異なる第２の定義されたＳＲＢに関連付けられる、方法。
【請求項１９】
請求項１３から１８のいずれか１項に記載の方法であって、前記ＲＲＣメッセージは、ＳＲＢ１ベアラを介して前記セカンダリノードから受信される、方法。
【請求項２０】
請求項１３から１８のいずれか１項に記載の方法であって、前記ＲＲＣメッセージは、ＳＲＢ３ベアラを介してセカンダリセルグループから受信される、方法。
【請求項２１】
ユーザ装置（ＵＥ）であって、
処理回路（１０３）と、
前記処理回路に結合された無線トランシーバ（１０２）と、
前記処理回路に結合されたメモリ（１０５）であって、前記処理回路によって実行されると、前記ＵＥに請求項１３から２０のいずれか１項に記載の動作を実行させる機械可読コンピュータプログラム命令を記憶するメモリを含む、ＵＥ。
【国際調査報告】
2022501878.tif 000024
2022501878.tif 000025
2022501878.tif 000026